(57)【要約】  内視鏡を通して管腔内デバイスをデリバリーするためのシステムは、デリバリーツールおよびアダプタを含む。デリバリーツールは、管腔内デバイスの一部をその中に保持するように構成される細長いチューブと、細長いチューブの遠位端上の第１の接続特徴部とを有する。アダプタは、内視鏡のハンドルに取り付けるように構成される。アダプタは、そこを通るチャンネルと、デリバリーツールの第１の接続特徴部と嵌合するように構成される第２の接続特徴部とを含む。デリバリーツールの細長いチューブは、第１および第２の接続特徴部が嵌合したときにアダプタのチャンネルと整列するように構成される。
2017522094.tif 000002
【特許請求の範囲】
【請求項１】
内視鏡のワーキングチャンネルに非被覆管腔内デバイスを装填する方法であって、
アダプタのチャンネルが前記内視鏡の前記ワーキングチャンネルと連通するように、前記内視鏡のハンドルに前記アダプタを取り付けることと、
前記デバイスの近位端が開放端部に配置されるまで、装填ツールの連結端部から前記装填ツールの前記開放端部まで前記装填ツールの内腔に前記非被覆管腔内デバイスを装填することと、
前記装填ツールの前記連結端部を前記アダプタに接続することと、
前記アダプタを通して前記装填ツールの前記内腔に沿って遠位に、且つ前記ワーキングチャンネル内に、前記非被覆管腔内デバイスの前記近位端を押すことと、を含む、方法。
【請求項２】
前記非被覆デバイスを装填することは、前記デバイスの遠位端が前記装填ツールの外側に残るように装填することを含み、前記方法は、前記非被覆管腔内デバイスの前記遠位端を前記アダプタの前記チャンネル内に前進させることをさらに含む、請求項１に記載の方法。
【請求項３】
前記アダプタから前記装填ツールを取り除くことと、前記非被覆管腔内デバイスが完全に前記ワーキングチャンネル内に入るまで前記非被覆管腔内デバイスの前記近位端を遠位に押し続けることと、をさらに含む、請求項１に記載の方法。
【請求項４】
前記非被覆管腔内デバイスの前記近位端を押すことは、前記デバイスの前記近位端が前記アダプタの前記チャンネル内に０ｍｍ〜５ｍｍ入るまで押すことを含み、前記取り除くステップは、前記押すステップの後に取り除くことを含む、請求項３に記載の方法。
【請求項５】
イントロデューサの一部が前記ワーキングチャンネル内に延在するように、前記アダプタの前記チャンネルを通して前記イントロデューサを配置することをさらに含み、前記チャンネルアダプタを通して前記非被覆管腔内デバイスの前記近位端を遠位に押すことは、前記イントロデューサの内腔を通して前記デバイスを押すことを含む、請求項１に記載の方法。
【請求項６】
前記ワーキングチャンネル内に延在する前記イントロデューサの前記一部は、傾斜先端部である、請求項５に記載の方法。
【請求項７】
装填することは、前記管腔内デバイスの近位端を引っ張るために把持具を使用することを含む、請求項１に記載の方法。
【請求項８】
前記アダプタを取り付けることは、前記ハンドルの周囲に前記アダプタをスナップ係合することを含む、請求項１に記載の方法。
【請求項９】
前記ハンドルに前記アダプタを取り付けることは、前記アダプタが前記内視鏡に対する所定の位置に固定されるように前記アダプタおよび前記ハンドルを取り付けることを含む、請求項１に記載の方法。
【請求項１０】
体管腔に非被覆管腔内デバイスをデリバリーする方法であって、
非被覆管腔内デバイスを内視鏡のワーキングチャンネル内に前進させることと、
前記ワーキングチャンネルの遠位端が前記体管腔内の第１のデリバリー位置に配置されるまで、前記体管腔を通して前記内視鏡を前進させることと、
前記ワーキングチャンネルの前記遠位端を前記第１のデリバリー位置に維持しながら、前記管腔内デバイス上の第１のデリバリーマーカーが観察されるまで、前記ワーキングチャンネルの外に遠位に、且つ前記体管腔に沿って前記非被覆管腔内デバイスを前進させることと、
前記第１のデリバリーマーカーが観察された後、前記体管腔から前記内視鏡を引き出しながら前記ワーキングチャンネルの外に非被覆管腔内デバイスを前進させることと、
前記非被覆管腔内デバイスが前記内視鏡の前記ワーキングチャンネルから完全に解放されるまで前進させ続けることと、を含む、方法。
【請求項１１】
第２のデリバリーマーカーが観察されたときに前記前進させるステップおよび引き出すステップを停止することと、前記体管腔内の第２のデリバリー位置における前記第２のデリバリーマーカーの配置に基づいて、前記管腔内デバイスの一部が前記体管腔に対して所望の位置にあることを確認することと、をさらに含む、請求項１０に記載の方法。
【請求項１２】
前記第２のデリバリー位置は、幽門に隣接する十二指腸球部である、請求項１１に記載の方法。
【請求項１３】
前記第２のマーカーが前記第２のデリバリー位置の遠位にある場合、前記管腔内デバイスおよび内視鏡を近位に引き出すことをさらに含む、請求項１１に記載の方法。
【請求項１４】
前記第２のデリバリーマーカーは、前記デバイスのワイヤ部上の嵩高特徴部である、請求項１１に記載の方法。
【請求項１５】
前記第１のデリバリーマーカーは、前記デバイスの第２の部分とは異なる色の前記デバイスの部分である、請求項１０に記載の方法。
【請求項１６】
前記内視鏡は、胃内視鏡である、請求項１０に記載の方法。
【請求項１７】
前記第１のデリバリー位置は、十二指腸の第三部である、請求項１０に記載の方法。
【請求項１８】
前進させ続けることは、前記デバイスの遠位端が十二指腸の第四部内にあるように前記非被覆管腔内デバイスを前進させることを含む、請求項１０に記載の方法。
【請求項１９】
内視鏡を通して管腔内デバイスをデリバリーするためのシステムであって、
前記管腔内デバイスの一部をその中に保持するように構成される細長いチューブ、および前記細長いチューブの遠位端上の第１の接続特徴部を有するデリバリーツールと、
前記内視鏡のハンドルに取り付けるように構成されるアダプタであって、そこを通るチャンネル、および前記デリバリーツールの前記第１の接続特徴部と嵌合するように構成される第２の接続特徴部を含むアダプタと、を備え、
前記デリバリーツールの前記細長いチューブは、第１および第２の接続特徴部が嵌合したときに前記アダプタの前記チャンネルと整列するように構成される、システム。
【請求項２０】
前記アダプタの前記チャンネルを通って内視鏡のワーキングチャンネル内に延在するように構成される管状部材を有するイントロデューサをさらに含む、請求項１９に記載のシステム。
【請求項２１】
前記管状部材は、前記ワーキングチャンネル内に延在するように構成される傾斜端部を有する、請求項２０に記載のシステム。
【請求項２２】
前記イントロデューサは、前記アダプタのスロットと嵌合するように構成されるピンをさらに含み、前記ピンおよびスロットは、前記ワーキングチャンネル内で前記傾斜端部を方向付けするようにさらに構成される、請求項２１に記載のシステム。
【請求項２３】
前記アダプタは、第１の構成要素および第２の構成要素を備え、前記第１および第２の構成要素は、前記内視鏡ハンドルの一部の周囲で一緒にスナップ係合するように構成される、請求項１９に記載のシステム。
【請求項２４】
前記接続特徴部は、第１のピンおよび第２のピンを含み、前記アダプタは、前記第１の構成要素に第１のボア、また第２の構成要素に第２のボアを含み、前記第１および第２の接続特徴部が嵌合したときに、前記第１のピンは、前記第１のボア内に適合するように構成され、前記第２のピンは、前記第２のボア内に適合するように構成される、請求項２３に記載のシステム。
【請求項２５】
前記第１および第２の接続特徴部は、スナップ係合特徴部である、請求項１９に記載のシステム。
【請求項２６】
胃内デバイスであって、
ワイヤ伸長部材と、
ワイヤアンカーと、
前記伸長部材または前記アンカーの一部を覆う嵩高構成要素であって、螺旋状に切り込みの入ったチューブを備える、嵩高構成要素と、を備える、胃内デバイス。
【請求項２７】
その遠位端で前記伸長部材に取り付けられたスリーブをさらに備え、前記スリーブは、前記伸長部材に沿って遠位にスライドし、複数の放射方向に膨張した流量減少要素を形成するように構成される、請求項２６に記載の胃内デバイス。
【請求項２８】
前記嵩高構成要素は、前記伸長部材の一部を覆い、前記スリーブが膨張していないときに、前記嵩高構成要素と前記スリーブの近位端との間の間隙が０．５インチ以下であるように配置される、請求項２７に記載の胃内デバイス。
【請求項２９】
前記嵩高構成要素は、ポリエチレンテレフタレートチューブを備える、請求項２６に記載の胃内デバイス。
【請求項３０】
前記螺旋は、０．０５インチ〜０．２５インチのピッチを有する、請求項２６に記載の胃内デバイス。
【請求項３１】
前記ピッチは、約０．１２５インチである、請求項３０に記載の胃内デバイス。
【請求項３２】
前記嵩高構成要素の内径は、その間に間隙が存在するように、前記伸長部材または前記アンカーの前記一部の外径より大きい、請求項２６に記載の胃内デバイス。
【請求項３３】
前記嵩高構成要素は、前記螺旋状に切り込みの入ったチューブの端部でのみ前記ワイヤに取り付けられる、請求項２６に記載の胃内デバイス。
【請求項３４】
前記嵩高構成要素は、粘着剤で前記伸長部材または前記アンカーの前記一部に取り付けられる、請求項２６に記載の胃内デバイス。
【請求項３５】
前記伸長部材または前記アンカーの前記一部は、粘着剤を保持するように構成される溝をそこに含む、請求項３４に記載の胃内デバイス。
【請求項３６】
前記ワイヤ伸長部材または前記ワイヤアンカーは、ニチノールを含む、請求項２６に記載の胃内デバイス。
【請求項３７】
前記ニチノールは、電解研磨される、請求項３６に記載の胃内デバイス。
【請求項３８】
前記ワイヤは、０．０１５インチ〜０．０３０インチの外径を有し、前記嵩高部は、０．０５０インチおよび０．１５インチの外径を有する、請求項２６に記載の胃内デバイス。
【請求項３９】
胃内デバイスであって、
伸長部材と、
その遠位端で前記伸長部材に取り付けられたスリーブであって、前記伸長部材に沿って遠位にスライドし、複数の放射方向に膨張した流量減少要素を形成するように構成される、前記スリーブと、
前記伸長部材の近位端に取り付けられたアンカーと、を備え、
前記伸長部材は、その上に２つのマーカーを含み、前記マーカーの各々は、消化管の異なる部分に一致するように構成される、胃内デバイス。
【請求項４０】
前記異なる部分のうちの１つは、十二指腸の第三部である、請求項３９に記載の胃内デバイス。
【請求項４１】
前記異なる部分のうちの１つは、幽門に隣接する十二指腸球部である、請求項３９に記載の胃内デバイス。
【請求項４２】
前記マーカーのうちの少なくとも１つは、前記デバイスのワイヤ部上の嵩高特徴部である、請求項３９に記載の胃内デバイス。
【請求項４３】
前記少なくとも１つのマーカーの近位端は、前記マーカーの前記近位端から前記デバイスの遠位端までの距離が、幽門から十二指腸の第四部までの距離とほぼ等しくなるように配置される、請求項４２に記載の胃内デバイス。
【請求項４３】
前記マーカーのうちの少なくとも１つは、前記デバイスの第２の部分とは異なる色またはテクスチャの前記デバイスの部分である、請求項３９に記載の胃内デバイス。
【請求項４４】
前記少なくとも１つのマーカーの近位端は、前記マーカーの前記近位端から前記デバイスの遠位端までの距離が、十二指腸の第三部の近位端から十二指腸の第四部までの距離とほぼ等しくなるように配置される、請求項４３に記載の胃内デバイス。
【請求項４５】
前記マーカーのうちの少なくとも１つは、前記スリーブの下にある、請求項３９に記載の胃内デバイス。
【請求項４６】
前記伸長部材は、前記消化管への挿入前に予め設定された形状を有し、前記伸長部材は、前記消化管への挿入後に前記予め設定された形状に戻るように構成される、請求項３９に記載の胃内デバイス。
【発明の詳細な説明】
【関連出願の相互参照】
【０００１】
本特許出願は、２０１４年６月１９日に出願された米国仮特許出願第６２／０１４，６１３号「ＤＵＯＤＥＮＡＬ  ＧＡＳＴＲＯＩＮＴＥＳＴＩＮＡＬ  ＤＥＶＩＣＥＳ  ＡＮＤ  ＤＥＬＩＶＥＲＹ  ＭＥＣＨＡＮＩＡＭＳ」に対して優先権を主張するものであり、参照により、その全体が本明細書に組み込まれる。
【０００２】
本出願は、現在の米国特許出願公開第２０１３−０１０９９１２−Ａ１号である、２０１２年１１月１日に出願された米国特許出願第１３／６６６，９１９号「ＤＵＯＤＥＮＡＬ  ＧＡＳＴＲＯＩＮＴＥＳＴＩＮＡＬ  ＤＥＶＩＣＥＳ  ＡＮＤ  ＲＥＬＡＴＥＤ  ＴＲＥＡＴＭＥＮＴ  ＭＥＴＨＯＤＳ」に関連する可能性があり、その全体が、参照により本明細書に組み込まれる。
【文献の引用】
【０００３】
本明細書において言及されている出版物、特許、および特許出願の全ては、あたかも出版物、特許、または特許出願それぞれが参照として組み込まれることを具体的にまた個々に目的としていたように、参照として本明細書に組み込まれている。
【技術分野】
【０００４】
本発明は、消化管の内腔内に留置される医療デバイスの分野に属する。特に、本明細書に記載されるデバイスは、小腸内で安定する。
【背景技術】
【０００５】
肥満度指数（ＢＭＩ）が３０を超える肥満は、米国や他の国において重要な健康問題である。肥満の人は、アメリカ人では３人に一人、世界では３億人と推定されている。肥満の合併症として、高血圧、糖尿病、冠動脈疾患、まひ、鬱血性心不全、肺機能不全、多発性整形外科的問題、種々のがん、著しく寿命を縮めるものなどの極めて重篤な命に関わる病気が挙げられる。なお、意図的な減量により、肥満に関連するこれらの医学的合併症の多くを改善することができる。
【０００６】
減量は肥満に関連する医学的合併症の多くを改善することができる一方、健康問題としてのその管理が困難であることが分かっている。食事療法、心理療法、行動療法、および薬物療法を含む様々なアプローチにおいて多くの成功がみられるが、米国においては、全体として、肥満の発生率や重症度の急激な増加を効率的にコントロールすることができていない。肥満に関連する問題の深刻さが、いくつかの劇的な外科的治療についての発展につながっている。このような身体的治療の１つでは、胃のサイズを小さくすることにより、その個人が以前の食事量を可能な限り消費できないようにする。これらの胃縮小治療は早期な成功にある程度制限があり、今現在においては、時間をかけて胃が拡大して大容量に戻ることが知られており、多くの個人において減量の維持の達成が制限されている。別の劇的な外科的治療として、通常は小腸のバイパス部を介することによって消化管（ＧＩ管）の吸収表面を減らすことによる食物の吸収不良などがある。この胃バイパス治療は、さらに胃縮小治療と組み合わせて行われる。これらの外科的治療は、効果的に食物摂取量の減少および／または場合によっては減量につながるが、その外科的治療が、浸潤性が高くまた必要以上の苦痛や不快感を招く。さらに、この治療は、術後に、非常に多くの命に関わる合併症を招く可能性がある。また、これらの外科的治療は、高価であり、国営医療サービス制度にとって大きな負担となり、その負担から脱却することは困難である。
【０００７】
肥満の治療に関する非外科的アプローチが開発されている。例えば、肥満を治療するための非外科的且つ内視鏡的アプローチの１つでは、胃の内部に胃内バルーンを留置する。胃内バルーンは胃の一部分に充填され、患者に満腹感を与え、それにより食物摂取量を減少する。このアプローチは、いまだ納得できるような成功が見られず、忍耐弱い患者やバルーンの破裂や移動を原因とする合併症などの、胃内バルーンデバイスに関連する問題が複数存在する。減量用にデザインされた他の非外科的デバイスにおいては、食物が小腸内において完全に消化されて吸収されないように胃から小腸内のチューブに食物が流し込まれるため、小腸内での栄養素の吸収が制限される。このタイプのデバイスは摂取された食物の吸収を制限できる効果がいくらかあるものの、減量および／または食物摂取量の制限を行うようにデザインされた非外科的デバイスについては、いまだ様々な改良の余地がある。
【０００８】
満腹信号の生成に寄与する生物学的事象の理解は、このような事象を引き起こすことができる”スマート”な非外科的デバイスの開発の機会を提供する。個人が消費する食物量は、胃腸と脳との間の生物学的信号に大きく左右される。具体的には、胃腸からの脳へのホルモン信号は、食物の摂取開始と終了の両方に関連している。グレリン、モチリン、およびアグーチ関連ペプチドなどのホルモンのレベル上昇は食欲の促進と食物の摂取開始に関連し、複数の他のホルモンのレベル上昇は食物の摂取終了に関連する。
【０００９】
様々な生物学的事象は、食物摂取の生理的な終了に寄与する。多くの場合、食事が消費されるにつれて、摂取された食物および消化の副生成物が、ＧＩ管に沿って並ぶ受容体に作用し、満腹信号が生成される。適当な食物量が消費されたことを示し、生物に食事を止めさせるための満腹信号が脳に送られる。具体的には、ＧＩ管の化学受容体が消化の生成物（糖類、脂肪酸、アミノ酸、ペプチドなど）に反応し、胃内および小腸の近位側の伸張受容体が消費された食物の物理的存在に反応する。化学的受容体は、ホルモン信号または他の分子信号の放出が生じることにより、消化の生成物に反応する。これらの放出されたホルモン信号および／または他の分子信号は、満腹信号を脳に送るために、神経繊維を刺激することができる。これらの信号の脳内への到達は、食物摂取を減らすことができる様々な神経経路を始動させることができる。放出されたホルモン信号および／または他の分子信号はまた、満腹信号の生成を助けるために脳に向かうことができる。機械的受容体は、多くの場合、脳に信号を送る末梢内の神経繊維の刺激を介して、満腹信号を脳に送信する。
【００１０】
本発明は、満腹信号の生成に寄与する上述の生物学的事象を引き起こす非外科的デバイスおよび方法を提供することにより、食物摂取量を減少させる手助けをする方法およびデバイスを提供する。
【開示の概要】
【００１１】
本明細書において、例えば、食物摂取量を減少させる手助けとなるようにデザインされた、胃内デバイスが記載される。
【００１２】
概して、一実施の形態において、内視鏡のワーキングチャンネルに非被覆管腔内デバイスを装填する方法は、（１）アダプタのチャンネルが内視鏡のワーキングチャンネルと連通するように、内視鏡のハンドルにアダプタを取り付けることと、（２）デバイスの近位端が開放端部に配置されるまで、装填ツールの連結端部から装填ツールの開放端部まで装填ツールの内腔に非被覆管腔内デバイスを装填することと、（３）装填ツールの連結端部をアダプタに接続することと、（４）アダプタを通して装填ツールの内腔に沿って遠位に、且つワーキングチャンネル内に、非被覆管腔内デバイスの近位端を押すことと、を含む。
【００１３】
本実施の形態および他の実施の形態は、以下の特徴を１つまたはそれ以上含んでもよい。非被覆デバイスを装填することは、デバイスの遠位端が装填ツールの外側に残るように装填することを含んでもよい。方法は、非被覆管腔内デバイスの遠位端をアダプタのチャンネル内に前進させることをさらに含んでもよい。方法は、アダプタから装填ツールを取り除くことと、非被覆管腔内デバイスが完全にワーキングチャンネル内に入るまで非被覆管腔内デバイスの近位端を遠位に押し続けることと、をさらに含んでもよい。非被覆管腔内デバイスの近位端を押すことは、デバイスの近位端がアダプタのチャンネル内に０ｍｍ〜５ｍｍ入るまで押すことを含んでもよく、取り除くステップは、押すステップの後に取り除くことを含んでもよい。方法は、イントロデューサの一部がワーキングチャンネル内に延在するように、アダプタのチャンネルを通してイントロデューサを配置することをさらに含んでもよく、アダプタのチャンネルを通して非被覆管腔内デバイスの近位端を遠位に押すことは、イントロデューサの内腔を通してデバイスを押すことを含んでもよい。ワーキングチャンネル内に延在し得るイントロデューサの一部は、傾斜先端部であってもよい。装填することは、管腔内デバイスの近位端を引っ張るために把持具を使用することを含んでもよい。アダプタを取り付けることは、ハンドルの周囲にアダプタをスナップ嵌めすることを含んでもよい。ハンドルにアダプタを取り付けることは、アダプタが内視鏡に対する所定の位置に固定され得るようにアダプタおよびハンドルを取り付けることを含んでもよい。
【００１４】
概して、一実施の形態において、体管腔に非被覆管腔内デバイスをデリバリーする方法は、（１）非被覆管腔内デバイスを内視鏡のワーキングチャンネル内に前進させることと、（２）ワーキングチャンネルの遠位端が体管腔内の第１のデリバリー位置に配置されるまで、体管腔を通して内視鏡を前進させることと、（３）ワーキングチャンネルの遠位端を第１のデリバリー位置に維持しながら、管腔内デバイス上の第１のデリバリーマーカーが観察されるまで、ワーキングチャンネルの外に遠位に、且つ体管腔に沿って非被覆管腔内デバイスを前進させることと、（４）第１のデリバリーマーカーが観察された後、体管腔から内視鏡を引き出しながらワーキングチャンネルの外に非被覆管腔内デバイスを前進させることと、（５）非被覆管腔内デバイスが内視鏡のワーキングチャンネルから完全に解放されるまで前進させ続けることと、を含む。
【００１５】
本実施の形態および他の実施の形態は、以下の特徴を１つまたはそれ以上含んでもよい。方法は、第２のデリバリーマーカーが観察されたときに前進させるステップおよび引き出すステップを停止することと、体管腔内の第２のデリバリー位置における第２のデリバリーマーカーの配置に基づいて、管腔内デバイスの一部が体管腔に対して所望の位置にあることを確認することと、をさらに含んでもよい。第２のデリバリー位置は、幽門に隣接する十二指腸球部であってもよい。方法は、第２のマーカーが第２のデリバリー位置の遠位にある場合、管腔内デバイスおよび内視鏡を近位に引き出すことをさらに含んでもよい。第２のデリバリーマーカーは、デバイスのワイヤ部上の嵩高特徴部であってもよい。第１のデリバリーマーカーは、デバイスの第２の部分とは異なる色のデバイスの部分であってもよい。内視鏡は、胃内視鏡であってもよい。第１のデリバリー位置は、十二指腸の第三部であってもよい。前進させ続けることは、デバイスの遠位端が十二指腸の第四部内にあるように非被覆管腔内デバイスを前進させることを含んでもよい。
【００１６】
概して、一実施の形態において、内視鏡を通して管腔内デバイスをデリバリーするためのシステムは、デリバリーツールおよびアダプタを含む。デリバリーツールは、管腔内デバイスの一部をその中に保持するように構成される細長いチューブと、細長いチューブの遠位端上の第１の接続特徴部と、を有する。アダプタは、内視鏡のハンドルに取り付けるように構成される。アダプタは、そこを通るチャンネルと、デリバリーツールの第１の接続特徴部と嵌合するように構成される第２の接続特徴部と、を含む。デリバリーツールの細長いチューブは、第１および第２の接続特徴部が嵌合したときにアダプタのチャンネルと整列するように構成される。
【００１７】
本実施の形態および他の実施の形態は、以下の特徴を１つまたはそれ以上含んでもよい。システムは、アダプタのチャンネルを通って内視鏡のワーキングチャンネル内に延在するように構成され得る管状部材を有するイントロデューサをさらに含んでもよい。管状部材は、ワーキングチャンネル内に延在するように構成される傾斜端部を有してもよい。イントロデューサは、アダプタのスロットと嵌合するように構成されるピンをさらに含んでもよい。ピンおよびスロットは、ワーキングチャンネル内で傾斜端部を方向付けするようにさらに構成されてもよい。アダプタは、第１の構成要素および第２の構成要素を含んでもよい。第１および第２の構成要素は、内視鏡ハンドルの一部の周囲で一緒にスナップ嵌めするように構成されてもよい。接続特徴部は、第１のピンおよび第２のピンを含んでもよく、アダプタは、第１の構成要素に第１のボア、また第２の構成要素に第２のボアを含んでもよい。第１および第２の接続特徴部が嵌合したときに、第１のピンは、第１のボア内に適合するように構成されてもよく、第２のピンは、第２のボア内に適合するように構成されてもよい。第１および第２の接続特徴部は、スナップ嵌め特徴部であってもよい。
【００１８】
概して、一実施の形態において、胃内デバイスは、ワイヤ伸長部材と、ワイヤアンカーと、伸長部材またはアンカーの一部を覆う嵩高構成要素と、を含む。嵩高構成要素は、螺旋状に切り込みの入ったチューブを含む。
【００１９】
本実施の形態および他の実施の形態は、以下の特徴を１つまたはそれ以上含んでもよい。胃内デバイスは、その遠位端で伸長部材に取り付けられたスリーブをさらに含んでもよい。スリーブは、伸長部材に沿って遠位に摺動し、複数の放射方向に膨張した流量減少要素を形成するように構成されてもよい。嵩高構成要素は、伸長部材の一部を覆ってもよく、スリーブが膨張していないときに、嵩高構成要素とスリーブの近位端との間の間隙が０．５インチ以下であるように配置されてもよい。嵩高構成要素は、ポリエチレンテレフタレートチューブを含んでもよい。螺旋は、０．０５インチ〜０．２５インチのピッチを有してもよい。ピッチは、約０．１２５インチであってもよい。嵩高構成要素の内径は、その間に間隙が存在するように、伸長部材またはアンカーの一部の外径より大きくてもよい。嵩高構成要素は、螺旋状に切り込みの入ったチューブの端部でのみワイヤに取り付けられてもよい。嵩高構成要素は、粘着剤で伸長部材またはアンカーの一部に取り付けられてもよい。伸長部材またはアンカーの一部は、粘着剤を保持するように構成される溝をそこに含んでもよい。ワイヤ伸長部材またはワイヤアンカーは、ニチノールを含んでもよい。ニチノールは、電解研磨されてもよい。ワイヤは、０．０１５インチ〜０．０３０インチの外径を有してもよく、嵩高部は、０．０５０インチ〜０．１５インチの外径を有してもよい。
【００２０】
概して、一実施の形態において、胃内デバイスは、伸長部材と、伸長部材に取り付けられたスリーブと、伸長部材の近位端に取り付けられたアンカーと、を含む。スリーブは、伸長部材に沿って遠位に摺動し、複数の放射方向に膨張した流量減少要素を形成するように構成される。伸長部材は、その上に２つのマーカーを含む。マーカーの各々は、消化管の異なる部分と一致するように構成される。
【００２１】
本実施の形態および他の実施の形態は、以下の特徴を１つまたはそれ以上含んでもよい。異なる部分のうちの１つは、十二指腸の第三部であってもよい。異なる部分のうちの１つは、幽門に隣接する十二指腸球部であってもよい。マーカーのうちの少なくとも１つは、デバイスのワイヤ部上の嵩高特徴部であってもよい。少なくとも１つのマーカーの近位端は、マーカーの近位端からデバイスの遠位端までの距離が、幽門から十二指腸の第四部までの距離とほぼ等しくなるように配置されてもよい。マーカーのうちの少なくとも１つは、デバイスの第２の部分とは異なる色またはテクスチャのデバイスの部分であってもよい。少なくとも１つのマーカーの近位端は、マーカーの近位端からデバイスの遠位端までの距離が、十二指腸の第三部の近位端から十二指腸の第四部までの距離とほぼ等しくなるように配置されてもよい。マーカーのうちの少なくとも１つは、スリーブの下にあってもよい。伸長部材は、消化管への挿入前に予め設定された形状を有してもよく、伸長部材は、消化管への挿入後に予め設定された形状に戻るように構成されてもよい。
【図面の簡単な説明】
【００２２】
【図１】ヒトの消化管を示す図
【００２３】
【図２Ａ】消化管内にインプラントされた消化管インサートの実施の形態を示す図
【００２４】
【図２Ｂ】消化管内にインプラントされた消化管インサートの別の実施の形態を示す図
【００２５】
【図３】図２Ａのインサートの詳細図
【００２６】
【図３Ａ】図２Ａのインサートの膨張したシースを示す図
【００２７】
【図３Ｂ】図３Ａのシースの近位端の拡大図
【００２８】
【図４Ａ】図２Ａのインサートの近位側アンカーの拡大図
【図４Ｂ】図２Ａのインサートの近位側アンカーの拡大図
【図４Ｃ】図２Ａのインサートの近位側アンカーの拡大図
【図４Ｄ】図２Ａのインサートの近位側アンカーの拡大図
【図４Ｅ】図２Ａのインサートの近位側アンカーの拡大図
【００２９】
【図５Ａ】１／２の巻きを有する消化管インサートの引っ張りループの図
【図５Ｂ】１と１／２の巻きを有する引っ張りループの図
【００３０】
【図６Ａ】引っ張りループの付加的な変形例の図
【図６Ｂ】引っ張りループの付加的な変形例の図
【００３１】
【図７】その上に嵩高構成要素を有する図２Ａのインサートの図
【図７Ａ】嵩高構成要素を有するアンカーの拡大図
【図７Ｂ】嵩高構成要素を有するアンカーの拡大図
【００３２】
【図８Ａ】消化管インサートのスパイン上の螺旋状嵩高構成要素の外側図
【図８Ｂ】消化管インサートのスパイン上の螺旋状嵩高構成要素の断面図
【００３３】
【図９】消化管インサートのアンカーの螺旋状嵩高構成要素の図
【００３４】
【図１０Ａ】その一部の周囲に薄いコーティングを有する消化管インサートの図
【図１０Ｂ】図１０Ａのワイヤおよびコーティングの拡大図
【図１０Ｃ】太いワイヤを有する消化管インサート
【００３５】
【図１１】消化管インサートのステムの遠位端とインサートのスパインの近位端との一例の接続点の図
【図１２】消化管インサートのステムの遠位端とインサートのスパインの近位端との一例の接続点の図
【００３６】
【図１３Ａ】管腔内デリバリーシステムの装填ツールの図
【図１３Ｂ】管腔内デリバリーシステムの装填ツールの図
【図１３Ｃ】管腔内デリバリーシステムの装填ツールの図
【図１３Ｄ】管腔内デリバリーシステムの装填ツールの図
【００３７】
【図１４Ａ】管腔内デリバリーシステムのアダプタの第１の側の図
【図１４Ｂ】管腔内デリバリーシステムのアダプタの第１の側の図
【図１４Ｃ】管腔内デリバリーシステムのアダプタの第１の側の図
【図１４Ｄ】管腔内デリバリーシステムのアダプタの第１の側の図
【図１４Ｅ】管腔内デリバリーシステムのアダプタの第１の側の図
【図１４Ｆ】管腔内デリバリーシステムのアダプタの第１の側の図
【００３８】
【図１５Ａ】管腔内デリバリーシステムのアダプタの第２の側の図
【図１５Ｂ】管腔内デリバリーシステムのアダプタの第２の側の図
【図１５Ｃ】管腔内デリバリーシステムのアダプタの第２の側の図
【図１５Ｄ】管腔内デリバリーシステムのアダプタの第２の側の図
【図１５Ｅ】管腔内デリバリーシステムのアダプタの第２の側の図
【００３９】
【図１６Ａ】図１４Ａ〜図１４Ｆおよび図１５Ａ〜図１５Ｅに示す第１および第２の側を一緒に接続した図
【図１６Ｂ】図１４Ａ〜図１４Ｆおよび図１５Ａ〜図１５Ｅに示す第１および第２の側を一緒に接続した図
【００４０】
【図１７】管腔内デリバリーシステムのイントロデューサの図
【００４１】
【図１８Ａ】図１３Ａ〜図１３Ｄの装填ツール、図１７のイントロデューサ、図１６Ａ〜図１６Ｂのアダプタ、および内視鏡の相互接続の図
【図１８Ｂ】図１３Ａ〜図１３Ｄの装填ツール、図１７のイントロデューサ、図１６Ａ〜図１６Ｂのアダプタ、および内視鏡の相互接続の図
【図１８Ｃ】図１３Ａ〜図１３Ｄの装填ツール、図１７のイントロデューサ、図１６Ａ〜図１６Ｂのアダプタ、および内視鏡の相互接続の図
【図１８Ｄ】図１３Ａ〜図１３Ｄの装填ツール、図１７のイントロデューサ、図１６Ａ〜図１６Ｂのアダプタ、および内視鏡の相互接続の図
【００４２】
【図１９】管腔内デバイスを取り除くように構成されるオーバーチューブの図
【図２０Ａ】管腔内デバイスを取り除くように構成されるオーバーチューブの図
【図２０Ｂ】管腔内デバイスを取り除くように構成されるオーバーチューブの図
【図２０Ｃ】管腔内デバイスを取り除くように構成されるオーバーチューブの図
【００４３】
【図２１】アンカーとスパインとの間に圧縮ばねを有するインサートの図
【００４４】
【図２２】アンカーとスパインとの間に引っ張りばねを有するインサートの図
【００４５】
【図２３Ａ】アンカーとスパインとの間に複数のワイヤストランドを有するアンカーの図
【図２３Ｂ】アンカーとスパインとの間に複数のワイヤストランドを有するアンカーの図
【図２３Ｃ】アンカーとスパインとの間に複数のワイヤストランドを有するアンカーの図
【図２３Ｄ】アンカーとスパインとの間に複数のワイヤストランドを有するアンカーの図
【００４６】
【図２４】チェーンリンクを含むインサートの図
【００４７】
【図２５Ａ】図２４のインサートのための一例のチェーンリンクの図
【図２５Ｂ】図２４のインサートのための一例のチェーンリンクの図
【図２５Ｃ】図２４のインサートのための一例のチェーンリンクの図
【図２５Ｄ】図２４のインサートのための一例のチェーンリンクの図
【００４８】
【図２６】アンカーとスパインとの間にケーブルを含むインサートの図
【００４９】
【図２７Ａ】アンカーの別の実施の形態の図
【図２７Ｂ】アンカーの別の実施の形態の図
【図２７Ｃ】アンカーの別の実施の形態の図
【図２７Ｄ】アンカーの別の実施の形態の図
【００５０】
【図２８Ａ】アンカーの別の実施の形態の図
【図２８Ｂ】アンカーの別の実施の形態の図
【図２８Ｃ】アンカーの別の実施の形態の図
【図２８Ｄ】アンカーの別の実施の形態の図
【図２８Ｅ】アンカーの別の実施の形態の図
【図２８Ｆ】アンカーの別の実施の形態の図
【００５１】
【図２９】一例の編組型近位側アンカーの図
【００５２】
【図３０Ａ】アンカーの別の実施の形態の図
【図３０Ｂ】アンカーの別の実施の形態の図
【図３０Ｃ】アンカーの別の実施の形態の図
【図３０Ｄ】アンカーの別の実施の形態の図
【図３０Ｅ】アンカーの別の実施の形態の図
【００５３】
【図３１Ａ】アンカーの別の実施の形態の図
【図３１Ｂ】アンカーの別の実施の形態の図
【図３１Ｃ】アンカーの別の実施の形態の図
【図３１Ｄ】アンカーの別の実施の形態の図
【図３１Ｅ】アンカーの別の実施の形態の図
【００５４】
【図３２Ａ】アンカーの別の実施の形態の図
【図３２Ｂ】アンカーの別の実施の形態の図
【図３２Ｃ】アンカーの別の実施の形態の図
【００５５】
【図３３】アンカーの別の実施の形態の図
【００５６】
【図３４】アンカーの別の実施の形態の側面図
【図３５】アンカーの別の実施の形態の上面図
【００５７】
【図３６Ａ】アンカーの別の実施の形態の図
【図３６Ｂ】アンカーの別の実施の形態の図
【図３６Ｃ】アンカーの別の実施の形態の図
【００５８】
【図３７Ａ】アンカーの別の実施の形態の図
【図３７Ｂ】アンカーの別の実施の形態の図
【図３７Ｃ】アンカーの別の実施の形態の図
【００５９】
【図３８Ａ】アンカーの別の実施の形態の図
【図３８Ｂ】アンカーの別の実施の形態の図
【図３８Ｃ】アンカーの別の実施の形態の図
【図３８Ｄ】アンカーの別の実施の形態の図
【図３８Ｅ】アンカーの別の実施の形態の図
【００６０】
【図３９】嵩高構成要素としてワッシャーを含むインサートの図
【００６１】
【図４０】嵩高構成要素として引き締め可能なバッグを含むインサートの図
【００６２】
【図４１Ａ】アンカーの別の実施の形態の図
【図４１Ｂ】図４１Ａのアンカーに柔軟性を提供するカラーの図
【００６３】
【図４２】回転可能なアンカーの図
【００６４】
【図４３】分割された引っ張りループを有するアンカーの図
【００６５】
【図４４】アンカーの別の実施の形態の図
【００６６】
【図４５】バルーンアンカーの図
【００６７】
【図４６】内視鏡の近位端の断面図
【００６８】
【図４６Ａ】内視鏡ワーキングチャンネルフランジの内腔内のデリバリーシステムのイントロデューサの拡大図
【００６９】
【図４７】図２Ｂのインサートの詳細図
【００７０】
【図４８Ａ】図２Ｂのインサートの嵩高構成要素
【図４８Ｂ】図２Ｂのインサートの嵩高構成要素
【００７１】
【図４９】図２Ｂのインサートのマーカーの図
【００７２】
【図５０】内視鏡のワーキングチャンネルの外に管腔内デバイスをデリバリーする際に使用されるプッシャーの図
【００７３】
【図５１】図２Ｂのインサートのワイヤにある一例の溝の図
【図５１Ａ】図２Ｂのインサートのワイヤにある一例の溝の図
【図５１Ｂ】図２Ｂのインサートのワイヤにある一例の溝の図
【図５１Ｃ】図２Ｂのインサートのワイヤにある一例の溝の図
【図５１Ｄ】図２Ｂのインサートのワイヤにある一例の溝の図
【００７４】
【図５２Ａ】図１３Ａ〜図１３Ｄの装填ツール内への管腔内デバイスの段階的装填の図
【図５２Ｂ】図１３Ａ〜図１３Ｄの装填ツール内への管腔内デバイスの段階的装填の図
【図５２Ｃ】図１３Ａ〜図１３Ｄの装填ツール内への管腔内デバイスの段階的装填の図
【図５２Ｄ】図１３Ａ〜図１３Ｄの装填ツール内への管腔内デバイスの段階的装填の図
【図５２Ｅ】図１３Ａ〜図１３Ｄの装填ツール内への管腔内デバイスの段階的装填の図
【図５２Ｆ】図１３Ａ〜図１３Ｄの装填ツール内への管腔内デバイスの段階的装填の図
【００７５】
【図５３Ａ】図１８Ａ〜図１８Ｄのシステムについて、内視鏡へのアダプタの接続、アダプタへのインサータの接続、およびアダプタへの装填ツールの接続を段階的に示す図
【図５３Ｂ】図１８Ａ〜図１８Ｄのシステムについて、内視鏡へのアダプタの接続、アダプタへのインサータの接続、およびアダプタへの装填ツールの接続を段階的に示す図
【図５３Ｃ】図１８Ａ〜図１８Ｄのシステムについて、内視鏡へのアダプタの接続、アダプタへのインサータの接続、およびアダプタへの装填ツールの接続を段階的に示す図
【図５３Ｄ】図１８Ａ〜図１８Ｄのシステムについて、内視鏡へのアダプタの接続、アダプタへのインサータの接続、およびアダプタへの装填ツールの接続を段階的に示す図
【図５３Ｅ】図１８Ａ〜図１８Ｄのシステムについて、内視鏡へのアダプタの接続、アダプタへのインサータの接続、およびアダプタへの装填ツールの接続を段階的に示す図
【００７６】
【図５４】内視鏡のワーキングチャンネル内の一例のプッシャーを示す図
【００７７】
【図５５】嵩高構成要素とシースの近位端との間の空間を示す図
【発明を実施するための形態】
【００７８】
図１は、胃４と小腸１０の十二指腸とを含む人間の消化管を示している。重要な特徴部として、食道２、胃４、前庭部７、幽門８、幽門弁１１、十二指腸１０、空腸１２、およびファーター膨大部（胆膵管膨大部）１３があり、これらは、膵管と総胆管の結合によって形成されている。機能的には、食道２は、その上端で鼻または口からはじまり、その下端で胃４で終わる。胃４は、食道−胃連結部６（食道２のための開口部）と前庭部−幽門間連結部５（幽門８を通過する前庭部７と小腸の十二指腸１０との間の流路）とによって特徴付けられるチャンバーを囲んでいる。幽門８は幽門弁１１および括約筋を介して胃４の内容物の排出をコントロールし、幽門弁１１により、十分に消化された胃の内容物（すなわち、約１立方センチメートル以下の物体）が十分に通過できるように幽門８が大きく開く。これらの胃の内容物は、十二指腸１０内に入った後、続いて空腸１２に入り、その後回腸（図示せず）に入る。十二指腸１０、空腸１２、および回腸は、いわゆる小腸を構成している。なお、消化管のこれらの部分はそれぞれが小腸と呼ばれる場合もある。本発明の明細書においては、十二指腸、空腸、および／または回腸の全てまたは一部を小腸と言及することがありうる。消化に役立つ胆液および膵液を提供するファーター膨大部１３は、十二指腸１０の内壁上の小さい突起として図示されている。
【００７９】
本発明の実施の形態のデバイスは、消化管内の留置位置に、特に十二指腸に安定を与える様々な形態を含んでいる。腸インサートの同意語として言及されるいくつかの実施の形態のデバイスは、胃内に留まり且つ幽門を通過するには大き過ぎるアンカー部材によって腸内で安定される。他の実施の形態において、腸内で安定する特徴部として、十二指腸の遠位側の部分に比べて大きい十二指腸球部内で拡大し、それにより遠位側への移動が効率的に防止されるデバイスの部分が挙げられる。
【００８０】
デバイスおよびそのデバイスの使用方法のいくつかの実施の形態が、食物の移動速度に介入する物理的機構によって小腸を通過する食物の移動速度を減少させることを目的としている。他の態様において、本発明の実施の形態は、生理学的機構によって、その代わりとして、生体活性材または生物活性剤を介する満腹信号の直接的な提供によって、または、ニューロン刺激を介して満腹信号を生成することによって役割を果たし、それにより、食物摂取行動を抑える。実施の形態のデバイスおよび方法の満腹機能性および食物摂取機能性が本明細書で詳細に説明されるけれども、デバイスのいくつかの実施の形態は、満腹生理および消化生理のみに比べて広い医療的範囲を目的としている。非肥満医療または満腹誘発医療の利用の例として、いくつかの実施の形態のデバイスは、生物活性剤や当該デバイスによって送られる医療的に適切な薬品などの溶出源として使用されてもよい。いくつかの態様において、実施の形態のデバイスは、食物の移動を遅らせることおよび／またはデバイスの単なる物理的存在に直接的に反応する腸によって発生された満腹信号によって食物摂取量を抑えることに寄与してもよい。このような信号は、例えば、腸壁内のストレッチ応答ニューロンや機械的受容体によって調節されてもよい。他の実施の形態において、満腹信号は、腸内の物質の物理的存在に反応するホルモン、または機械的受容体に副次的に反応するホルモンによって調節されてもよい。他の実施の形態において、食物の速度の低下、残留時間の増加、その結果としての腸内の化学環境の変化は、満腹信号の正味の効果を持つようなニューロン的またはホルモン的な信号を送るために、腸内に存在する化学受容体の反応を引き起こしてもよい。
【００８１】
さらに本発明の他の実施の形態において、デバイスは、時間をかけて腸内に放出される生物活性材または生物活性剤を搬送してもよく、その生物活性剤が、正味の満腹信号を搬送する。いくつかの実施の形態において、正味の満腹信号効果を備える生物活性剤は、デバイス内のコーティング、貯蔵部、容器などの場所から受動的に排出される。生物活性材または生物活性剤は、ホルモン、薬剤、または細胞などが含まれてもよい。いくつかの実施の形態において、生物活性剤は、浸透圧ポンプに保持され、浸透圧ドライブ（ｏｓｍｏｔｉｃ  ｄｒｉｖｅ）によって放出されてもよい。浸透圧ポンプなどの放出機構は、生物活性剤の放出に関してレベルの制御および予測を行うが、相対的に受動的であり、介入手段を用いない。なお、本発明の別の態様は、印加電流に対応して蓄えている生物活性剤を放出することができるまたは放出を促進する電気駆動ポンプまたは圧電素子によって生物活性剤を放出するまたはデリバリーする、より能動的な機構を含んでもよい。このようなデバイスは、蓄電要素を含んでもよい、または、有線アプローチまたは無線アプローチを介して外部電源から電力を供給されてもよい。
【００８２】
本発明のさらに他の実施の形態において、デバイスは、腸内の神経に電気刺激を与える電極または導体要素を含んでもよく、その結果としての神経活性は脳内に満腹信号を送る正味の効果に寄与する。いくつかの実施の形態において、満腹に関連する神経活性は、内分泌機構によってさらに調節されてもよい。生物活性剤を放出するための動力機構を備える本発明の実施の形態のように、電気的機能を備える実施の形態は、蓄電デバイスを含んでもよく、または、外部電源から供給されたエネルギを受け取ることができるように構成されてもよい。
【００８３】
本発明の他の態様において、アンカーを備えるまたは備えていない実施の形態のインサートデバイスは、満腹感への誘導や食物移動速度の低下を少なくとも含むより広い医療目的のために、生物活性剤デリバリー、神経刺激デリバリー、または放射線治療デリバリーのためのプラットフォームを提供してもよい。いくつかの生物活性剤のデリバリーに関して、腸内の部分に物質を局所的にデリバリーすることには多くの利点が存在する。そのような利点として、投薬が局所化すること、経口デリバリーにおいて生じるような胃酸への曝露がないこと、薬品デリバリーまたは他の形態の全身性のデリバリーが直面する肝臓および腎臓の代謝機構への曝露が減少することが挙げられる。さらに、実施の形態のデバイスは、複数の薬品を収容してもよく、いくつかの実施の形態においては、そのような複数の薬品の放出が独立して制御されてもよい。
【００８４】
ここでは、本発明の実施の形態に関連する、消化系、消化プロセス、および満腹の内分泌学的および神経生理学的な態様について説明する。大人の十二指腸は、約２０〜２５ｃｍの長さであり、最も短く、最も幅広く、また最も有効的な小腸の部分である。十二指腸は、あおむけ姿勢における第１腰椎の位置と第３腰椎の位置との間に存在する細長い「Ｃ」字形状である。Ｓｕｓａｎ  Ｓｔａｎｄｒｉｎｇ著、Ｇｒａｙ’ｓ  Ａｎａｔｏｍｙ  ３９ｔｈ  １１６３−６４（２００５）は、標準的基準を提供する。参照のために、また消化系の態様のさらなる詳細を説明するために、図１に戻る。多くの場合に十二指腸球部１０ａと呼ばれる十二指腸の第１部は、約５ｃｍの長さであり、幽門８の十二指腸側端から連続的にはじまる。この十二指腸の第１部は、下方に鋭く曲がって十二指腸の第１部の端である十二指腸曲４６５に到達する前の５ｃｍの間に、上方に、後方に、横方向に通過する。多くの場合に十二指腸下行部１０ｂと呼ばれる十二指腸の第２部は、約８〜１０ｃｍの長さである。それは、上方の十二指腸曲４６５から始まり、緩やかなカーブで下方向に第３腰椎体に向かって進む。ここでは、十二指腸の第３部との結合部である下方側の十二指腸曲４７５に向かって内側に鋭く曲がる。多くの場合に十二指腸水平部１０ｃと呼ばれる十二指腸の第３部は、下方側の十二指腸曲からはじまり、約１０ｃｍの長さである。それは、第３腰椎の下側縁の右側から進み、わずかに上方向に曲がり、左に曲がり、そして腹部大動脈の前側の十二指腸の第４部につながる。十二指腸の第４部は、約２．５ｃｍの長さであり、大動脈の左に向かって始まり、第２腰椎の上側縁の高さ位置に上方向および横方向に進む。次に、十二指腸空腸曲で前方且つ下方に曲がり、空腸に結合する。
【００８５】
消化プロセスは、消費された食物が胃内で唾液および酵素と混ざると開始する。ひとたび食物が飲み込まれると、消化は食道内および胃内で継続され、食物は酸および付加的な酵素と結合して液化される。食物は、一定期間、胃内に留まり、次に小腸の十二指腸内に移動して胆液と膵液とに混ざる。消費された食物と胆液および膵液との混合により、そこに含まれる栄養素を、小腸内の絨毛および微絨毛が、また身体の他の吸収器官が吸収可能になる。
【００８６】
Ｒｏｂｅｒｔ  Ｃ．Ｒｉｔｔｅｒ著であって、Ｐｈｙｓｉｏｌｏｇｙ＆Ｂｅｈａｖｉｏｒ  ８１（２００４）２４９−２７３によって公表された”Ｇａｓｔｒｏｉｎｔｅｓｔｉｎａｌ  ｍｅｃｈａｎｉｓｍｓ  ｏｆ  ｓａｔｉａｔｉｏｎ  ｆｏｒ  ｆｏｏｄ”は、食欲をコントロールのために消化管を利用する様々な手段の我々の理解を要約している。彼は、満腹状態での胃の役割は、食事から得られた摂取物の量を検出することと、満腹状態に関連する物質を示す様々な信号を生成することであると述べている。なお、これらの信号を受け取るのは、具体的には小腸である。さらに、摂取物のエネルギ密度に反応する腸は、さらなる胃内容排出を制限し、適切なカロリーが摂取されると満腹を示す信号を送る。求心性神経の位置の解析を介して（ｐ．２５５）、Ｒｉｔｔｅｒは、迷走神経の求心性神経が十二指腸内に最も集中し、より遠位の回腸内では最も少ないこと述べている。この早期での求心性神経の集中は、食事プロセスの早期において食欲を抑制する。さらに、猿、ねずみ、人間を含む様々な哺乳類における栄養摂取に対する反応の瞬時性が、他の部分で証明されている。食物摂取の減少は摂取し始めてから数分内で始まること、および、そのためにその減少が吸収後の効果またはシステム的な代謝効果に対する反応ではないことは明らかにされている。これらのＲｉｔｔｅｒの一節は、具体的には、本明細書で説明されるデバイスの配置に関連するまたは本発明の実施の形態の流量減少要素の位置および大きさに関する参照として本明細書に組み込まれている。
【００８７】
胃および小腸内での部分的に消化された食物の存在により、続いて、食物摂取の停止に寄与する近位側の小腸から主に放出される満腹信号を生成する、生物学的信号生成が始まる。このような満腹信号の１つが、コレシストキニン（ＣＣＫ）の放出によって開始される。小腸の細胞が、消化された食物の存在に反応して、特に、食物脂肪、脂肪酸、小ペプチド、およびアミノ酸に反応してＣＣＫを放出する。ＣＣＫのレベル上昇により、食事量および食事期間が減少し、それは複数の異なる機構を介して行われる。例えば、ＣＣＫは、肝臓内のＣＣＫ−Ａ受容体や満腹信号を生じさせる中枢神経系内に作用することができる。ＣＣＫは、肝臓内と弧束核に向かって突出する幽門との両方の内部の求心性迷走神経繊維を刺激し、脳の部分が、食物摂取量と摂取行動を中心的に規制する視床下部に連絡する。ＣＣＫはまた、胆嚢および膵臓からの酵素の放出を刺激し、胃内容排出を抑制する。ＣＣＫが胃内容排出の強力阻害剤であるため、食物摂取の制限へのいくつかの効果が、胃内の食物の貯留によって調節される。
【００８８】
小腸の細胞（特にＬ細胞）はまた、消化の栄養シグナルに反応して、グルカゴン様ペプチド１（ＧＬＰ−１）およびオキシントモジュリン（ＯＸＭ）を放出する。ＧＬＰ−１およびＯＸＭのレベル上昇は、満腹信号および食物摂取の停止に関連している。これらのホルモンは、肝臓内および／またはＧＩ管の求心性迷走神経上の受容体が活性化することにより、および／または胃内容排出を抑制することにより、満腹信号を送出することができる。
【００８９】
膵臓ペプチド（ＰＰ）は、摂取されたカロリー量に比例して、また胃拡張に反応して放出される。ＰＰレベルの上昇は、食物摂取および体重の減少を示している。ＰＰは、脳幹につながる求心性迷走神経路を介して、胃内グレリンの生成を抑制するなどのより局所的な効果を介して、いくつかの食欲減退効果を発揮する。
【００９０】
ペプチドＹＹ３−３６（ＰＹＹ３−３６）は、別の生物学的信号であり、その周辺への放出は、食物摂取の減少および／または食事の停止に関連する可能性がある。具体的には、低レベルのＰＹＹ３−３６は肥満に関連し、それの投与がカロリー摂取および主観的な空腹度を減少させる。ＰＹＹ３−３６の静脈投与は、グレリン発現抑制効果、胃内容排出の遅延効果、膵臓および胃からの様々な分泌物に対する遅延効果、および食事後における回腸からの流体や電解液の吸収量の増加効果を介して、食物摂取を抑えることができる。
【００９１】
インスリンおよびレプチンは、満腹や摂取行動を規制する２つの付加的な生物学的信号である。副交感神経支配を介して、膵島のベータ細胞は、グルコースやアミノ酸などの血中栄養素に反応して、またＧＬＰ−１や胃抑制ペプチド（ＧＩＰ）に反応してインスリンを放出する。インスリンは、グルコース代謝の増加を介して脂肪組織から生成されたレプチンを刺激する。脳内のインスリンレベルが増加すると、食物摂取量が減少される。レプチンのレベル増加により、食物摂取量が減少され、減量を引き起こす。インスリンおよびレプチンの投与によって食物摂取量を減らすのみによって説明される体重減少に比べて大きい減量が引き起こされるため、インスリンおよびレプチンはエネルギ消費の規制に関与する。インスリンおよびレプチンの両方が、たぶん交換神経系を活性化することによって食物摂取を抑制してエネルギ消費を増加する中枢神経系内に作用する。食物摂取量を減少させるインスリンの効果は、例えば、ＮＰＹやメラノコルチンリガンドを介して、摂取行動の規制に関連するいくつかの視床下部神経ペプチドとの相互作用を引き起こす。
【００９２】
食物摂取の抑制または阻止に関連する他のホルモン的または生物学的信号として、例えば、ＧＩＰ（グルコース投与した後または高炭水化物食事の摂取後に腸内の内分泌腺のＫ細胞から分泌された）、エンテロスタチン（食物脂肪に反応して生成された）、アミリン（膵臓のベータ細胞からのインスリンと相互分泌された）、グルカゴン、ガストリン放出ペプチド（ＧＲＰ）、ソマトスタチン、ニューロテンシン、ボンベシン、カルシトニン、カルシトニン遺伝子関連ペプチド、ニューロメジンＵ（ＮＭＵ）、およびケトンなどがある。
【００９３】
本発明の実施の形態に関して、消化された食物またはびじゅく（ｃｈｙｍｅ）が部分的に小腸の十二指腸内で妨げられ、その領域を通過する流速が減少すると（または、滞留時間が増加するように別の方法で同一の現象を発現させると）、胃および十二指腸は徐々に空になる。このことは満腹感を継続し、それにより食物摂取量が減少する（胃内に食物が長時間保持されるため）。食物の移動速度の低下により、ＧＩ管に沿った化学受容体、伸張受容体、および機械的受容体に対して消化された食物が部分的に作用する時間が増加し、それにより、満腹信号の刺激が増加されるおよび／または長期化され、その結果、食事中および／または食物摂取間の長い期間において食物摂取量が減少される。
【００９４】
長い期間小腸内に消化された食物が部分的に維持されることに加えて、本発明の方法およびデバイスは、小腸内に信号を放出することにより、満腹信号の放出を増進するおよび／または長期化してもよい。例えば、いくつかの実施の形態において、本発明の方法およびデバイスは、化学受容体に刺激を与える消化産物の栄養素を放出することにより、満腹信号の生成に寄与するホルモン信号および／または他の分子信号の放出を起こしてもよい。別の実施の形態において、本発明の方法およびデバイスは、ＧＩ管の壁に低圧を作用させることによって胃（機械的受容体）を刺激し、それにより満腹信号が生成されて脳に送られるようにしてもよい。別の実施の形態において、本発明の方法およびデバイスは、上記のように化学受容体に刺激を与えるために、例えば、食物消化の副生成物の栄養素を介するなどして信号を放出してもよく、また上述したように小腸の壁に小さい圧力を作用させて満腹信号の生成に寄与してもよい。
【００９５】
次に、本発明の実施の形態について説明する。図２Ａおよび図２Ｂは、満腹信号の生成に寄与し得る、本発明に係るものとして作製された小腸インサート２０、１２０を示す。図２Ａを参照すると、インサート２０は、胃４および小腸１０に配置される。インサート２０は、近位部３０および遠位部４０、ならびに近位部３０から遠位部４０まで延在する中央スパイン５０を有する。小腸１０内に適合するサイズの１つまたはそれ以上の流量減少要素２００が、中央スパイン５０に取り付けられてもよい。中央スパイン５０は、その近位端にアンカー部材１００を有し、アンカー部材１００は、中央スパイン５０の近位端を胃内に固定する。アンカー部材１００は、幽門８を通過しないようなサイズである。このように、アンカー部材を含む本発明の実施の形態は、流量減少要素２００を小腸内に固定する。ピグテール４２は、スパイン４０に無傷遠位端を提供する。
【００９６】
図２Ｂを参照すると、インサート１２０は、インサート２０に類似するが、但し、嵩高構成要素１７１がスパイン５０の上に示され、嵩高構成要素１８１がアンカー１００の上に示され、流量減少要素２００が膨張可能なスリーブ２０１の一部として示され、スパイン５０の遠位端が、ピグテール４２ではなく直線状の無傷特徴部１２１を含む。
【００９７】
図３は、インサート２０のさらに詳細な図を示す。インサート２０は、細長いスパイン５０に沿って形成される流量減少要素２００を含む。アンカー１００は、近位端に取り付けられる。以下にさらに論じられるように、インサート２０は、消化管にインプラントされたときに、インサート２０の組織相互作用を最小限に抑えるようにデザインされた１つまたはそれ以上の特徴部、例えば、スパイン嵩高構成要素７１および／またはアンカー嵩高構成要素８１を含む。スパイン５０の遠位端上のピグテール４２および遠位ボール３０５も、インサート２０がＧＩ管にデリバリーされるとき、およびＧＩ管の中に留置されている間に、スパイン５０の端部が組織を損傷するのを防止することができる。
【００９８】
図３Ａ〜図３Ｂを参照すると、流量減少要素２００は、所定の位置で放射方向に膨張するように構成されるスリーブ２０１の一部であってもよい。スリーブ２０１は、例えば、編組型ポリエチレンテレフタレートフィラメントで形成されてもよい。スリーブ２０１は、遠位取付点２０３でスパイン５０に融着されてもよい。スリーブ２０１をスパイン５０に沿ってスライドさせて流量減少要素２００を膨張させるように、管状スライド要素２０５は、その近位端でスリーブ２０１に取り付けられてもよい。スパインは、スリーブ２０１が極端に遠位に移動するのを防止するように構成されるストッパ５９（図７または図２Ｂを参照）をさらに含んでもよい。
【００９９】
流量減少要素２００の実施の形態は、多くの構成をとることができ、バルク材の組成、表面の性質、および多孔性等の物理的特性に関してさらに異なってもよい。一例の流量減少要素は、参照により本明細書に組み込まれる、現在の米国特許出願公開第２０１３−０１０９９１２−Ａ１号である、２０１２年１１月１日に出願された米国特許出願第１３／６６６，９１９号「ＤＵＯＤＥＮＡＬ  ＧＡＳＴＲＯＩＮＴＥＳＴＩＮＡＬ  ＤＥＶＩＣＥＳ  ＡＮＤ  ＲＥＬＡＴＥＤ  ＴＲＥＡＴＭＥＮＴ  ＭＥＴＨＯＤＳ」に記載されている。実施の形態の流量減少要素が持つ共通の機能的特性は、適切な臨床的ガイドラインの範囲内において、消化中の食物の移動をブロックすることなく、遅らせることである。その移動速度を遅らせるプロセスは、代謝される栄養化合物に対する生化学的プロフィールを変化させるなど、消化中の食物材料の組成物に影響を与えることできる。十二指腸の化学受容体および神経は、びじゅく内の代謝の生化学的プロフィールに対して反応し、その結果、消化生理、満腹生理、および空腹生理の調整にかかわる。流速やびじゅくの生化学的プロフィールが変化するなどによって、本発明の実施の形態の小腸インサートは、満腹に関連する信号の生成に寄与する。流量減少要素はさらに、その流量減少要素によって起こる混合作用によって消化中の食物材料の組成物に影響を与えてもよい。
【０１００】
図４Ａ〜図４Ｅは、近位側アンカー１００の拡大図を示す。アンカー部材１００は、スパイン５０から離れて軸方向に延在するステム８３０３を含んでもよい。ステム８３０３は、互いに実質的に平行に延びる２つのワイヤ部を含んでもよい。２つのアーチ８３０５ａ、８３０５ｂは、ステム８３０３から離れて放射方向に延在し、２つの逆アーチ８３７９ａ、８３７９ｂは、アーチ８３０５ａ、８３０５ｂから延在し、引っ張りループ８３７７は、逆アーチ８３７９ａ、８３７９ｂに接続する。
【０１０１】
近位側アンカー１００は、特に近位の視点から軸方向に見たときに、ほぼ図８の形状を取ることができる。アーチ８３０５ａ、８３０５ｂそれぞれは、ステム８３０３から近位側に延在し、近位側のピークで曲がり、そして逆アーチ８３７９ａ、８３７９ｂそれぞれに合流するために遠位側に延在する。アーチ８３０５ａ、８３０５ｂは、ステム８３０３から離れるように縦方向および放射方向の両方に延在してもよい。このアーチ形状により、有利に、アンカー１００が側方から押圧されたまたは圧縮されたときにアンカー８３０１を中心に位置合わせすることを補助することにより、フープ強さを提供することができる。アンカー１００の図８の形状は、有利に、デリバリー中および取り除き中にからむことを抑制することができる。なぜなら、ワイヤの自由長さが最小化されているとともに、からむような重なる部分が存在しないからである。
【０１０２】
アンカー１００の逆アーチは、ステムの軸に対して実質的に垂直な（９０度の）平面上にピークを持つまたは横たわるように図示されている。いくつかの実施の形態において、アンカー１００の逆アーチは、ステムの頂部に対して１２０度などの９０度以上に傾いてもよい（すなわち、図４Ａに示すように、ステムと直交する平面の下方を延在してもよい）。このような角度の増加により、有利に、デリバリー中および使用中において逆アーチがアーチを跳ね上げてひっくり返すことを抑制することができる。
【０１０３】
アーチ８３０５ａ、８３０５ｂの両方は、逆アーチ８３７９ａ、８３７９ｂに合流するように、反時計方向（近位側から見て）に延在してもよい。さらに、アーチ８３０５ａ、８３０５ｂは、実質的に正反対に放射方向に延在するように構成されている。実質的に正反対に放射方向に延在するアーチ８３０５ａ、８３０５ｂを備えることにより、有利に、アーチ８３０５ａ、８３０５ｂは、モーメントアームとして挙動でき、また、バランスがとれた状態において、付与された負荷の約半分を引き受けることができる。反対方向はまた、各アーチが反対方向における他方の運動を抑制するため、アンカーに付与される力を安定させるのに役立つ。
【０１０４】
引っ張りループ８３７７は、アーチ８３０５ａ、８３０５ｂがステム８３０３で合流するように、アーチ８３０５ａ、８３０５ｂの間で延在してもよい。さらに、引っ張りループ８３７７は、アーチ８３０５ａ、８３０５ｂに向かって上方向に曲がる逆アーチ部８３７９ａ、８３７９ｂの側の両方に合流してもよい。逆アーチ部８３７９ａ、８３７９ｂのピークは、遠位側に且つ実質的に互いに正反対に放射方向に延在してもよい。さらに、逆アーチ部８３７９ａ、８３７９ｂは、アーチ８３０５ａ、８３０５ｂそれぞれから約９０度離れた位置に配置されてもよい。この９０度での配置により、アンカー８３０１の外周に９０度ずつ間隔をあけて設けられたおおよそ４つの支持部が提供され、それにより、アンカー８３０１が安定し、アンカー８３０１の近位側への移動が阻止される。逆アーチ部８３７９ａ、８３７９ｂの両方は、アーチ８００５ａ、８００５ｂに接続するために、引っ張りワイヤ８３７７から同一の時計方向／反時計方向にループしてもよい（近位側端からアンカー見た場合）。
【０１０５】
いくつかの実施の形態において、ステム８３０３、アーチ８３０５ａ、８３０５ｂ、逆アーチ８３７９ａ、８３７９ｂ、スパイン、および引っ張りループ７０７７は、ステムに結合される連続するピースのワイヤで形成されてもよい。ステム８３０３、アーチ８３０５ａ、８３０５ｂ、逆アーチ８３７９ａ、８３７９ｂ、スパイン、および／または引っ張りループ７０７７は、例えば、溶接、圧着、接着、はんだ、スリーブ、またはこれらの組み合わせによって結合されてもよい。
【０１０６】
アンカーを取り除くために、引っ張りループ８３７７は、把持具等の後退ツールを用いて、内視鏡または取り除き用チューブ内に、近位方向に軸方向に引っ張られ得る「ハンドル」として機能することができる。引っ張りループ８３７７が近位側アンカーとは反対の方向に引っ張られると、アンカー部材８３０１は放射方向内側に折り畳まれる。逆アーチ８３７９ａ、８３７９ｂは、アーチが真っ直ぐになり、その上、折り畳まれるまで、アーチ８３０５ａ、８３０５ｂの上および周囲で持ち上がる。アンカー１００は、有利には、食道を通って内視鏡ワーキングチャンネル、および／またはオーバーチューブ内へのデリバリーまたは後退のために折り畳まれ得る。
【０１０７】
図１１を参照すると、いくつかの実施の形態において、アーチ８３０５ａおよび８３０５ｂは、アーチ８３０５ａ、８３０５ｂの遠位端に最も近い接続点１１０１ａで一緒に結合されてもよい。図１２を参照すると、他の実施の形態において、アーチ８３０５ａ、８３０５ｂは、０．５インチ〜１．０インチの距離Ｌだけアーチ８３０５ａ、８３０５ｂの端部から離れた接続点１１０１ｂで一緒に結合されてもよい。図１２に示す距離の増加は、アーチ８３０５ａと８３０５ｂとの間により大きなモーメントアームを有利に形成することができ、それによって引き抜き力を実質的に低下させることなく、アンカー１００の可撓性（放射方向におけるアンカーの「圧潰性」等）が高められる。任意の個々のアーチ８３０５ａ、８３０５ｂの直径を減少させないようにしながら、アーチ８３０５ａ、８３０５ｂをはさみのように前後に動かすか、または互いに重複させることにより、引き抜き強度を最大化する一方で、胃の収縮中の組織相互作用を最小限に抑えるのに役立つ。さらに、接続点１１０１は、圧着されてもよく、溶接されてもよく、または別様に一緒に接続されてもよい。
【０１０８】
デバイス２０のスパイン５０を形成するために使用されるワイヤは、０．０４インチ未満、例えば、０．０３インチ未満、０．０２未満、または約０．０１８インチの直径を有することができる。０．０４インチ未満の直径を使用することにより、有利には、スパイン５０の剛性が高過ぎないことを確実にし、それによってアンカー１００をスパイン５０に対して移動させ、使用中に胃組織に対する持続的な圧力を回避するのに役立つ。
【０１０９】
図７を参照すると、スパイン５０の近位部３０は、嵩高構成要素７１を含んでもよい。スパイン嵩高構成要素７１は、存在する場合、スパイン５０の直径を増加させることができる。図５５に詳細に示すように、スパイン嵩高構成要素７１は、嵩高部７１の遠位端と、完全に伸長した（膨張していない）シース２０１の近位端との間の空間が最小限に抑えられるように、スパイン５０に沿ってステムの遠位端から遠位部８５まで延在することができる。例えば、空間は、０．２５インチ以下であってもよい。
【０１１０】
図８Ａ〜図８Ｂを参照すると、スパイン嵩高構成要素７１は、螺旋状に切り込みの入ったポリエチレンテレフタレート（ＰＥＴ）チューブで形成されてもよい。嵩高構成要素７１は、０．０９５インチの内径、０．１２５インチの外径、および０．０５インチのピッチを有することができる。嵩高構成要素７１は、スパイン５０の残りの部分のより小さい直径のワイヤへの滑らかな移行を容易にするために、先細りになった遠位端を有することができる。スパイン嵩高構成要素７１は、ステムのワイヤ結合部１１０１（図１１〜図１２を参照）またはワイヤ結合スリーブに取り付けることによって、近位方向の移動を防止する特徴を近位端にさらに有することができる。さらに、スパイン嵩高構成要素７１は、一方の端部（先細り部等）または両方の端部でワイヤ８２に取り付けられてもよく、それによって嵩高構成要素７１の移動を防止する。スパイン嵩高構成要素７１は、裸のワイヤ８２に対する表面積の増加（すなわち、より少ない圧力を発生する）、およびその中に存在するワイヤの直径に対して適合が「緩過ぎること」に起因する損傷から幽門を有利に保護することができる（すなわち、ワイヤ８２の直径は、構成要素７１の内径よりはるかに小さくてもよい）。直径の差は、ワイヤ８２が構成要素７１内で自由に移動することを可能にし、曲げ性を向上させる。さらに、螺旋状の切り込みは、スパイン５０の剛性に影響を及ぼすことなく可撓性を維持するのに役立つ。
【０１１１】
同様に、アンカー１００は、嵩高構成要素８１を含むことができる。図９を参照すると、アンカー嵩高構成要素８１は、螺旋状に切り込みの入ったポリエチレンテレフタレート（ＰＥＴ）チューブで形成されてもよい。アンカー嵩高構成要素８１は、０．０４５インチの内径、０．０６５インチの外径、および０．０５０インチのピッチを有することができる。アンカー嵩高構成要素８１は、引っ張りループ８３７７からステム８３０３まで、実質的にアンカー全体を覆うように延在することができる。
【０１１２】
さらに、アンカー嵩高構成要素８１は、一方または両方の端部でアンカー１００に取り付けられてもよく、それによってアンカーの嵩高部を所定の位置に保持する。アンカー嵩高構成要素８１は、螺旋状の切り込みに起因して、アンカーの剛性に影響を及ぼすことなく、裸のワイヤに対する表面積の増加（すなわち、より少ない圧力を生じること）に起因する損傷から胃組織を有利に保護することができる。螺旋状の切り込みはまた、各個々のコイルを、その中に存在するワイヤの曲線により厳密に沿わせることよって、アンカーの外径面を滑らかにするのに役立つ。
【０１１３】
図４７は、インサート１２０のより詳細な図を示す。インサート２０と同様に、インサート１２０は、細長いスパイン５０に沿って延在するスリーブ２０１から形成される流量減少要素２００と、図８の形状のアンカー１００とを含む。インサート１２０は、無傷ボール１２１を有する直線状の遠位端をさらに含む。端部およびボール１２１は、組織の損傷を防止するために、スパイン５０と比較して増加または厚みのある直径を有することができる。
【０１１４】
図４８Ａを参照すると、インサート１２０のスパイン５０の近位部３０は、嵩高構成要素７１に類似する嵩高構成要素１７１を含むことができるが、０．０５インチ〜０．２５インチ、例えば、０．１２５インチ等のより大きいピッチの螺旋を含んでもよい。ピッチは、螺旋がそれ自体に乗り上げるのを避けるため（ピッチが小さ過ぎる場合）、および剛性を失うのを避けるために（ピッチが大き過ぎる場合）、具体的に選択することができる。さらに、嵩高部１７１は、約４インチの長さを有することができる。この嵩高部１７１は、嵩高部１７１の近位端からデバイスの遠位部または端部１２１までの長さが、幽門から十二指腸の第四部までの距離とほぼ等しくなるように配置されてもよく、そうすることにより、後に記載するように、嵩高部１７１がデリバリー中にマーカーとして使用され得る。同様に、図５５を参照して上述したように、嵩高部１７１の遠位端は、完全に伸長した（膨張していない）シース２０１の遠位端と近位端との間の空間が最小限に抑えられるように配置されてもよい。
【０１１５】
同様に、図４８Ａおよび４８Ｂを参照すると、アンカー１００は、嵩高構成要素１８１を含むことができる。嵩高構成要素１８１は、嵩高構成要素８１に類似してもよいが、０．０５インチ〜０．２５インチ、例えば、０．１２５インチ等のより高いピッチの螺旋を含むことができる。さらに、嵩高構成要素１８１は、例えば、アーチ／逆アーチ領域の約２／３のみを覆うために、アンカー１００をより少なく覆うことができる。アンカーの２／３を覆うことにより、引っ張りループを非被覆状態に維持しながら（把持しやすくするため）、且つステムに付加的な直径がほとんど加えられないことを確実にしながら（さもなければアーチの広がりの原因となり得る）、組織の損傷を防止するのに十分なワイヤの被覆率を提供することができる。
【０１１６】
インサート２０、１２０のスパインまたはアンカーに厚みを持たせるための別の一例の機構を、図１０Ａ〜図１０Ｂに示す。この場合、ポリマー等の薄いコーティング１１１がスパインのワイヤに塗布される（同様のコーティングがアンカーに配置されてもよい）。スパインまたはアンカーに厚みを持たせるためのさらに別の機構を、図１０Ｃに示す。この場合、インサートのアンカーの全体的な直径を増加させるために、より厚みのある（または太い）ワイヤ１１３が使用される。同様の太い部分が、スパインのワイヤに沿って配置されてもよい。
【０１１７】
図４９を参照すると、インサート１２０（またはインサート２０）は、消化管内へのインサートの配置を補助するように構成される、１つまたはそれ以上のマーカーをさらに含んでもよい。したがって、図４９に示すように、マーカー２２２は、シース２０１の下に延在することができる。マーカー２２２は、例えば、スパイン５０のワイヤ上の色付きまたはテクスチャ付きのチューブであってもよい。マーカー２２２の長さは、消化管内の所望の解放位置に対応し得る。例えば、マーカー２２２は、約８ｃｍの長さであってもよい。以下にさらに説明するように、マーカー２２２の近位端は、十二指腸の第四部から十二指腸の第三部までの距離に対応するように遠位端１２１から離れた距離であり得る。
【０１１８】
図５Ａ〜図５Ｂを参照すると、インサート２０または１２０に使用される引っ張りループ８３７７は、１／２の巻き（８３７７ａ）または１／２より多くの巻き（８３７７ｂ）、例えば、１と１／２の巻きを含むことができる。１／２より多くの巻きを有することにより、引っ張りループ８３７７ａは、引き抜き力を実質的に減少させることなく、アンカー１００の放射方向における可撓性を高めるためのトーションばねとして機能することができる。放射方向の可撓性（引っ張りループが上から押されたときに広がる能力）が高まることで、近位方向から遠位方向へと胃が収縮する際の組織相互作用を最小限に抑えるのに役立ち得る。１／２より多くの巻きを有することによっても、引っ張りループの耐久性を高めることができ、デリバリーおよび後退の間等に、引っ張りループにかかるトルクをより長い距離に沿って分散させることが可能である。引っ張りループ８３７７は、０．１０インチ〜０．２０インチ、例えば、０．１４インチの距離ｕを有することができる。
【０１１９】
図６Ａ〜図６Ｂを参照すると、インサート２０または１２０のための引っ張りループ８３７７は、同様に、可撓性を高めるために近位端の薄肉部（８３７７ｃ）、または強度を高めるために近位端の厚肉部（８３７７ｄ）を含むことができる。例えば、ワイヤは、引っ張りループ８３７７ｃにおいて０．０３５インチから０．０１８インチに薄肉化されてもよく、または引っ張りループ８３７７ｄにおいて０．０３５インチから０．０４２に厚肉化されてもよい。
【０１２０】
アンカー１００は、幽門に対して垂直な胃内に配置されたときに、アンカー１００が幽門を通過できないような全径を有することができる。例えば、アンカー１００は、２．５インチ〜３．５インチ、例えば、約３インチの直径を有してもよい。したがって、近位側アンカー１００は、ひとたび内視鏡を通してデリバリーされ、胃内で展開されると、膨張して、アンカーが幽門を通過するのを防止する十分に大きい構造を提供するように適応および構成される。
【０１２１】
いくつかの実施の形態において、スパインを作製するために使用されるワイヤは、他の要素との接着を容易にするために、特別に配置された突起および／または溝を含むことができる。例えば、図５１を参照すると、インサート２０（または１２０）を形成するために使用されるワイヤ８２は、遠位ボール１２１の接着を容易にするために、その遠位端に直径の大きな突起５１０１を有することができる（図５１Ａを参照）。さらに、ワイヤ８２は、スリーブ２０１の遠位端の接着を容易にするようにデザインされた溝５１０３ａを有することができる（図５１Ｂを参照）。同様に、ワイヤ８２は、ストッパ５９の接着を容易にするようにデザインされた溝５１０３ｂを含むことができる（図５１Ｃを参照）。ワイヤ８２はまた、スパイン嵩高構成要素７１の遠位端の接着を容易にするようにデザインされた溝５１０３ｃも含むことができる（図５１Ｄを参照）。いくつかの実施の形態において、スパイン嵩高部の近位端および／またはアンカー嵩高部の一方もしくは両方の端部の取り付けのために、付加的な溝が使用されてもよい。突起および溝は、０．００１インチ〜０．００２インチ、例えば、０．００１５インチ等の直径における変化を提供することが可能であり、接着剤または粘着剤に接合または凝固するための周辺領域を与えることができ、それによってボール、スリーブ、ストッパ、および嵩高部等のより良好な固定特徴部をワイヤ８２に与えることができる。
【０１２２】
有利には、本明細書に記載される特徴部を有するインサート２０、１２０は、トーションばねのデザインの引っ張りループ、可撓性ワイヤの小さい直径、図８のデザイン、螺旋状に切り込みの入った嵩高構成要素、および／またはワイヤ結合部からアーチまでの距離に起因する、放射方向の圧縮、軸方向の圧縮、および屈曲に関して柔軟なデザインを有することができる。この柔軟性は、インサート２０が所定の位置にあるときに組織相互作用を防止または軽減することができる。同時に、インサート２０は、アンカー１００の図８のデザインに起因して、例えば、約３．８ｌｂの、３．５ｌｂを超える高い引き抜き強度（すなわち、幽門通過に対する抵抗性）を有することができる。
【０１２３】
インサート２０、１２０は、アンカーを真っ直ぐにして、直接ツールを用いて、食道内、内視鏡のワーキングチャンネル内、またはオーバーチューブ内にインサートを引っ張ることまたは押すことによってデリバリーされてもよい。
【０１２４】
インサート２０、１２０等の管腔内デバイスのための一例のデリバリーシステムを、図１３〜図１８に示す。デリバリーシステムは、互いに且つ内視鏡と相互接続するように構成される、装填ツール１３００、イントロデューサ１７００、およびアダプタ１４００を含むことができる。
【０１２５】
図１３Ａ〜図１３Ｄは、デリバリーシステムの装填ツール１３００を示す。装填ツール１３００は、その中を通ってインサート２０が適合するように構成される中空の細長い本体１３０１と、その遠位端のコネクタ１３３１とを含む。コネクタ１３３１は、管状部材１３０１の遠位端が通過する中央延在部１３３３を含む。コネクタ１３３１は、コネクタ１３３１の外周から遠位に延在する嵌合アーム１３０３ａ、１３０３ｂをさらに含む。最後に、ピン１３１７ａ、１３１７ｂが、コネクタ１３３１から遠位に延在する。ピン１３１７ａ、１３１７ｂは、互いにオフセットしていてもよく、したがって、中心軸１３３７の両側に位置する（図１３Ｂを参照）。細長い本体１３０１は、内視鏡のワーキングチャンネル、例えば、直径３．７ｍｍのワーキングチャンネル内に適合するようにデザインされた管腔内デバイスをデリバリーすることができるように、約０．１〜０．２インチ、例えば約０．１４８インチの内径を有してもよい。
【０１２６】
図１７は、デリバリーシステムのイントロデューサ１７００を示す。イントロデューサ１７００は、デリバリーシステム内に配置されたときに停止部として機能するハブ１７０５と、そこから延在するシャフト１７０７とを有する。図４６を参照すると、シャフト１７０１は、内視鏡４６００のワーキングチャンネルフランジ４６０７の内腔４６０９を通って延在するように構成される。シャフト１７０７の長さは、シャフト１７０７を通して内視鏡４６００のワーキングチャンネル４６０５に沿って（逆方向に内視鏡の近位端４６０１から出るのではなく）管腔内デバイスの前進を促進するために選択されてもよい。したがって、シャフト１７０７は、ワーキングチャンネル４６０５の後部の丁度手前で終端するようなサイズであってもよい。例えば、シャフト１７０７は、約２．７５インチの長さを有することができる。さらに、遠位シャフト先端部１７０３は、角度を成して、例えば、約４５度の角度等に切り取られてもよい。
【０１２７】
図１７に戻って参照すると、ピン１７０１は、ハブ１７０５から遠位に延在することができる。再び図４６を参照すると、ピン１７０１は、アダプタ１４００と相互作用したときに、長い端部が内視鏡４６００のハンドルの近位端４６０１に面する一方で、短い開放端部が内視鏡４６００の遠位端４６０３に面するように傾斜先端部１７０３が延在するように配置されてもよい。この方向付けは、内視鏡ワーキングチャンネル４６０５に沿ったインサートまたはデバイスの前進を容易にするのに役立ち得る。シャフト１７０７の外径は、可能な限り大きなサイズであってもよいが、なおもワーキングチャンネルフランジ４６０７の内腔４６０９に適合し、シャフト１７０７の内径は、ワーキングチャンネル４６０５の直径と一致するようなサイズであってもよい。有利には、イントロデューサ１７００の直線状シャフト１７０７は、直径およびサイズが異なり、さもなければデリバリー中にデバイスがひっかかる原因となり得る管腔内デバイスを、内腔４６０９を通してデリバリーするのに役立ち得る。
【０１２８】
図１４Ａ〜図１６Ｂは、アダプタ１４００の第１および第２の嵌合部１４０１ａ、１４０１ｂを示す。嵌合部１４０１ａ、１４０１ｂは、タブ１４１１ａ、１４１１ｂを使用して、内視鏡ハンドル４６０１上、および内視鏡４６００のハンドル上のワーキングチャンネルフランジ４６０７（図４６を参照）の周囲に一緒にスナップ係合するように構成される。一方の嵌合部１４０１ａ、１４０１ｂ上の相互連結特徴部または突起１４０９ａ〜１４０９ｃは、反対側の嵌合部１４０１ａ、１４０１ｂ上の対応する特徴部と相互連結するように構成され得る。一緒にスナップ係合される場合、アダプタ１４００は、イントロデューサ１７００のシャフト１７０７が通過できるように構成されるボア１４０５ａを含む。一緒にスナップ係合される場合、アダプタ１４００は、イントロデューサ１７００のピン１７０１と嵌合するように構成されるボア１４０５ｂをさらに含む。この嵌合は、イントロデューサ１７００の位置を内視鏡ハンドルに対して適所に保持することができるだけではなく、（突起１４０９ｂを通してピン１７０１を延在させることによって）嵌合部１４０１ａおよび１４０１ｂを一緒に係止することもできる。一緒にスナップ係合される場合、アダプタ１４００は、装填ツール１３００のアーム１３０３ａ、１３０３ｂと嵌合するように構成されるトラック１４２１ａ、１４２１ｂをさらに含む。同様に、一緒にスナップ係合される場合、アダプタ１４００は、装填ツール１３００上のピン１３１７ａ、１３１７ｂと嵌合するように構成されるボア１４１３ａ、１４１３ｂを含む。この嵌合は、係止チューブ１３００の位置を適所に保持することができるだけではなく、（突起１４０９ａ、１４０９ｃを通してピン１３１７ａ、１３１７ｂを延在させることによって）嵌合部１４０１ａおよび１４０１ｂを一緒に係止することもできる。
【０１２９】
デリバリーシステムの要素の相互接続を、図１８Ａ〜図１８Ｄに示す。図１８Ａを参照すると、ワーキングチャンネルフランジ４６０７（内視鏡４６００のハンドル上に位置する）の内腔からガスケットが取り除かれる。図１８Ｂを参照すると、アダプタ１４００の嵌合部１４０１ａ、１４０１ｂは、内視鏡ハンドルの上、且つ内視鏡ハンドルのワーキングチャンネルフランジ４６０７の端部周囲に一緒にスナップ係合される。図１８Ｃを参照すると、次いで、イントロデューサ１７００が、シャフト１７０７がワーキングチャンネルフランジ４６０７の内腔４６０９の長さに沿ってＹ接続部（図４６Ａに示す）まで延在するようにアダプタ１４００内に配置される。さらに、傾斜先端部１７０３は、インサート２０が内視鏡ワーキングチャンネル（図４６に示す）に沿って遠位に延在せずに近位に曲がることを阻止するように、内視鏡のワーキングチャンネル内に延在する。最後に、装填ツール１３００は、インサート２０を内視鏡ハンドル内に前進させるときに、安定な、良好に整列したインサート２０の経路を提供するように、アダプタ１４００と嵌合することができる。装填ツール１３００、アダプタ１４００、およびイントロデューサ１７００と、内視鏡４６００との相互連結は、互いにおよび内視鏡とのロバストな接続を提供することができる。このロバストな接続は、有利には、ユーザ、例えば、医師が、デリバリー中にデリバリーシステムに影響を与えうる、てこの作用を抑制することができる。
【０１３０】
図５２Ａ〜図５２Ｆを参照すると、インサート２０（または１２０）等のインサートを、デリバリーシステムに装填することができる。図５２Ａに示すように、把持具５４００は、最初に、ツールの近位端５４５からツールの遠位端５５５までデリバリーツール１３００のシャフト１３０１に装填されてもよい。把持具５４００は、把持部５４０１がデリバリーツール１３００の遠位端５５５から出て延在するように配置されてもよい。さらに、図５２Ｂおよび図５２Ｃに示すように、引っ張りループ８３７７は、把持部５４０１が引っ張りループ８３７７を把持できるように、インサート２０のスパインから離れるように引っ張られてもよい。図５２Ｄに示すように、次いで、アーチおよび逆アーチを真っ直ぐにするかまたはほどくために、アンカー１００を緩やかに伸ばすことができる。図５２Ｅおよび図５２Ｆを参照すると、次いで、アンカー１００が完全にシャフト１３０１内に入り、引っ張りループ８３７７が、例えば、約５ｍｍ未満の距離だけシャフト１３０１の近位端５４５から出て延在するまで、伸ばしたアンカー１００の上で装填ツール１３００を引っ張ることができる。図５４Ｅに示すように、インサート２０のスパイン５０および遠位端は、主として装填ツールの遠位端５５５の外側に残る。インサート２０は、次いで内視鏡内に装填できる状態にある。
【０１３１】
図５３Ａ〜図５３Ｅを参照すると、次いで、デリバリーのために内視鏡を準備することができる。最初に、また図５３Ａに示すように、アダプタ１４００の１つの部分１４０１ａが、ワーキングチャンネルフランジ４６０７上に配置されてもよい。図５３Ｂに示すように、次いで、第２の部分１４０１ｂが、ワーキングチャンネルフランジ４６０７の反対側に配置され、第１の部分１４０１ａと一緒にスナップ係合されてもよい。図５３Ｃを参照すると、次いで、ピン１７０１を嵌合ボア１４０５ｂに位置決めすることによって、イントロデューサ１７００がアダプタ１４０１内に配置されてもよい。イントロデューサ１７０７は、ハブ１７０５がアダプタ１４００と同一平面上になるように（また図４６Ａに示すように、傾斜先端部がワーキングチャンネル４６０５内に延在するように）配置されてもよい。図５３Ｄを参照すると、次いで、スパイン５０（図５２Ｅに示すように、ワーキングツールの遠位端５５５から出て延在している）は、イントロデューサ１７００のシャフト１７０７内に（したがって、アダプタ１４００の内腔１４０５ａを通って）デリバリーされるために真っ直ぐにされてもよい。次いで、インサート２０のアンカー１００をなおも装填ツール１３００内に維持しながら、スパイン５０の遠位端が、イントロデューサ１７００のシャフト１７０１内に装填されてもよい。シャフト１７０７内にインサート２０を適合させる補助となるように、装填中に、シース２０１が緩やかに近位に引っ張られてもよい。インサート２０の遠位端は、図５３Ｅに示すように、装填ツール１３００が、コネクタ１３３１を介してアダプタ１４００上にスナップ係合されるまで装填されてもよい。
【０１３２】
図５４を参照すると、ひとたび装填ツール１３００がアダプタ１４００上にスナップ係合されると、小腸等へのデリバリーのために、プッシャー５３００を使用して、イントロデューサを通して内視鏡のワーキングチャンネル４６０５内に引っ張りループ８３７７の近位端を押すことができる。装填ツールは、内視鏡に至るまでインサートを押す前に取り除かれてもよい。
【０１３３】
インサート２０を小腸内に配置するために、インサート上のマーカーが使用されてもよい。例えば、内視鏡は、十二指腸の第三部の遠位端にデリバリーおよび配置されてもよい。次いで、プッシャー５３００を使用してインサート２０をワーキングチャンネルの外に押すことによって、インサート２０を十二指腸の第四部内に前進させることができる。インサート２０は、マーカー２２２（図４９を参照）が内視鏡で確認できなくまるまで、すなわち、インサートが約１０ｃｍ内視鏡から出るように、前進させることができる。ひとたびマーカーによってインサート２０の遠位端が十二指腸の第四部内に配置されたことが示されると、インサート２０を十二指腸内に残したまま（すなわち、内視鏡を取り除くときと同じ速度でプッシャー５３００を押すことによって）、内視鏡を近位に引っ張ることができる。したがって、インサート２０のより近位の部分が展開される。スパイン嵩高部７１が見られたら、内視鏡の近位方向への後退を停止することができ、内視鏡を使用して、嵩高部７１の近位端が幽門のすぐ遠位の十二指腸球部にあることを確認することができる。嵩高部７１の近位端が、十二指腸球部の遠位である十二指腸の第二部にある場合、内視鏡およびインサート２０を球部内に一緒に後退させることができる。嵩高部７１の近位端が幽門の近位の胃内においてのみ見える場合は、デバイスが近位過ぎることを示しており、内視鏡およびインサート２０の両方を取り除く必要があり得る。嵩高部７１が球部内にあると想定される場合、内視鏡の後退およびデバイスの前進は、胃前庭部が見られるまで継続することができる。胃管腔内の観察から嵩高部７１が正しい位置にあること（および幽門を横断して延在すること）が確認される場合、内視鏡を所定の位置に保持し、アンカー１００を適所に置くようにプッシャー５３００を前進させることによって、インサートを完全に展開することができる。アンカーが胃内に存在し、嵩高部７１が幽門を横断し、スパイン５０が十二指腸内にあるようにデリバリーされると、内視鏡を取り除くことができる。
【０１３４】
いくつかの実施の形態において、プッシャー５３００（図５０および図５４に示す）は、引っ張りループ８３７７との係合を最大化するために、引っ張りループ８３７７の近位端と密接に合致または一致するように構成される遠位端５３０１を有することができる。したがって、遠位端５３０１は、図５０にさらに示すようにカップ形状を有してもよい。さらに、プッシャー５３００の長さ中央部５３０３は、可撓性を高め、且つワーキングチャンネル４６０５内の摩擦を軽減するために、小さい直径を有してもよい。
【０１３５】
有利には、医師は、本明細書に記載されるデリバリーシステムを使用して、他の医療技術者からの付加的補助なしで、または最低限の補助のみで、インサート２０をデリバリーすることができ、例えば、インサート２０は、内視鏡を保持するために片手のみ、またデバイスをデリバリーするために片手のみを使用してデリバリーされ得る。さらに、本明細書に記載されるデリバリーの方法は、有利には、剛性または可撓性である内視鏡とともに、また胃内視鏡または結腸鏡とともに使用されてもよい。さらに、インサートは、十二指腸の第四部に到達するために内視鏡を必要とせずに十二指腸の第四部にデリバリーされ得るため、本方法は、より広範囲の内視鏡を用いて、より容易に且つよりうまく行うことができる。
【０１３６】
さらに、インサート２０は、図１９〜図２０Ｃに示す取り除き用チューブ１９００等の取り除き用チューブを使用して取り除かれてもよい。取り除き用チューブ１９００は、細長い部材１９０１、ハブ１９０３、およびガスケット１９０５を含むことができる。細長い部材１９０１は、内視鏡に適合するように構成されてもよく、ガスケット１９０５は、胃を膨張した状態で維持することを確実にするために、内視鏡の外径と細長い部材１９０１の内径との間のスペースをシールするように構成されてもよい。胃の膨張は、可視化を容易にし、且つ組織損傷を最小限に抑えるように組織を外側に移動させることにより、胃内内視鏡処置を容易にする。さらに、ハブ１９０３は、患者の喉を通って取り除き用チューブが不用意に移動するのを防止するようなサイズであってもよく、患者に固定できる（テープを介して等）切り抜き特徴部１９２７ａ、１９２７ｂを含むことができる。
【０１３７】
インサート２０（または１２０）を取り除くために、内視鏡を胃の中に配置し、ガイドワイヤをデリバリーすることができる。ひとたびガイドワイヤの遠位先端部が内視鏡から出ると、胃内に２〜３個のコイルが形成されるまでガイドワイヤを胃の中に前進させることができる（これらのコイルは、ガイドワイヤを固定する際の補助となり得る）。次いで、内視鏡を取り除くことができる。取り除き用チューブ１９００は、その中の拡張器とともに、ガイドワイヤ上に配置されてもよく、また食道を通してインサートの近位端に配置されてもよい。次いで、取り除き用チューブ１９００を所定の位置に残したまま、拡張器およびガイドワイヤが取り除かれてもよい。代替として、取り除き用チューブ１９００は、ガイドワイヤを使用せずに、内視鏡の上に直接配置されてもよい。膨張を維持するのに役立つガスケット１９０５を使用して、必要に応じて胃を膨張させることができる。把持具は、内視鏡のワーキングチャンネルを通して延在させることができる。インサートの引っ張りループまたはアンカー１００の他の部分は、把持具を用いて把持することができる。さらに、把持具が内視鏡の遠位端に向かって近位に引っ張られている間に、内視鏡を所定の位置に保持することができる。次いで、少なくともインサートの近位側アンカー部分、例えば、約６．５インチが取り除き用チューブ１９００内に後退されるまで、把持具および内視鏡の両方を取り除き用チューブ内に引き出すことができる。ひとたびインサートの近位側アンカー１００が取り除き用チューブ１９００内に入ると、内視鏡、把持具、および取り除き用チューブ１９００を一緒に後退させることができる。
【０１３８】
上述のように、本明細書に記載されるインサートは、有利には、消化管におけるインサートの位置を維持するのに十分な引き抜き力を提供する一方で、組織を実質的に刺激、切断、または損傷しないように十分可撓性であり得る。図２１Ａ〜図２６は、引き抜き強度を維持しながら、スパイン５０の可撓性または柔軟性を提供するのに役立つように、本明細書に記載されるあらゆる特徴部と組み合わせて、またはそれらの代わりに使用することができる付加的な特徴部を示す。
【０１３９】
例えば、図２１は、引き抜き力を維持しながら可撓性を高めるために、アンカー１００のすぐ遠位に圧縮ばね２１０１を含むインサート２１００を示す。同様に図２２は、引っ張りばね２２０１を含むインサート２２００を示す。
【０１４０】
図２３Ａ〜図２３Ｄは、アンカー１００のすぐ遠位に平行に延在する複数のワイヤストランド２３０１を含むデバイス２３００を示す。ワイヤストランド２３０１は、外周の周囲に配置され、有利には、アンカー１００とスパイン５０との間に屈曲性および可撓性を提供することができる。圧着部２３０３ａ、２３０３ｂは、個々のワイヤストランド２３０１を拘持し、ストランド２３０１をアンカー１００およびスパイン５０に接続する。
【０１４１】
図２４は、アンカー１００とスパイン５０との間に、胃に対してスプリングフィードバックすることなく有利に屈曲することができるチェーンリンク２４０１を含むインサート２４００を示す。チェーンリンク２４０１は、チューブ内に拘束されると線形圧縮力を伝達することができる。これにより、内視鏡を通して胃および十二指腸にインサート２４００を有利に装填することができる。チェーンは、１つまたはそれ以上のリンクからなってもよい。一例のチェーンおよびリンクを、図２５Ａ〜図２５Ｄに示す。図２５Ａは、リングおよびポストの単一のリンク２５０１を示す。図２５Ｄは、一緒に接続されたリングおよびポストの複数のリンク２５０１ａ、２５０１ｂを示す。図２５Ｃは、複数のリング２５０３を示す。図２５Ｄは、一緒に接続されたボール２５０５およびチェーン２５０７を示す。図２５Ｄのボールおよびチェーンのデザインは小さく曲がることができ、導入および配置を制御するために有利であり得る。このデザインはまた、自由に旋回することができ、近位側アンカー１００が回転することを可能にする。図２５Ａ〜図２５Ｄに示す種々のチェーンリンクは、圧着または他の接続機構によってアンカー１００およびスパイン５０に接続することができる。
【０１４２】
図２６は、アンカー１００とスパイン５０との間にケーブル２６０１を含むインサート２６００を示す。ケーブル２６０１は、圧着等によって結合部２６０３ａ、２６０３ｂでアンカー１００およびスパイン５０に接続されてもよく、また有利には、高い可撓性を提供することができる。
【０１４３】
図２７Ａ〜図３８Ｅは、代替のアンカーのデザインが、単独で、または本明細書に記載される他の特徴と組み合わせて、同様に所望の可撓性および引き抜き力を提供できることを示す。
【０１４４】
例えば、図２７Ａ〜図２７Ｄのアンカー２７００は、スパイン２７０３の片側の単一の逆アーチ２７０５によって一緒に接続された２つのアーチ２７０１ａ、２７０１ｂを含む。別の一例のアンカー２８００を、図２８Ａ〜図２８Ｆに示す。アンカー２８００は、外周の約３／４の周囲に一緒に接続された２つのアーチ２８０１ａ、２８０１ｂを含む。図３０は、実質的に平面である図８の構造を有するアンカー３０００を示す。アンカー３０００は、形状を維持するためにワイヤに係合するように構成されるラッチ３００１を含むことができる。柔らかく、屈曲可能な引っ張り部またはヒンジ３００３は、有利には、可撓性を高めることができる。図３１Ａ〜図３１Ｅは、環状基部３１０３および垂直なピグテール特徴部３１０１を有するアンカー３１００を示す。図３２Ａ〜図３２Ｃは、別のアンカー３２００を示す。アンカー３２００を形成するワイヤは、急カーブを有するように示されているが、アンカー３２００はまた、同じ形状であるが丸みを帯びた特徴を有してもよい。
【０１４５】
図２９は、胃４内にある一例の編組型近位側アンカー２９００を示す。アンカー２９００は、胃４内で組まれた足場のように挙動する大きな編組として構築されてもよい。アンカー２９００は、胃または胃のほんの一部を実質的に占めることができる。図３３は、一例の帽子型アンカー３３００を示し、図３４および図３５は、一例のカラーアンカー３４００を示す。アンカー３３００、３４００は、例えば、編組材料でできていてもよい。
【０１４６】
図３６Ａ〜図３６Ｃは、遠位端から近位端まで広がる螺旋状ワイヤ特徴部３７０１を含む一例のアンカー３７００を示す。いくつかの実施の形態において、アンカー３７００は、螺旋状ワイヤ特徴部３７０１の一部または全てを覆う編組３７０７を含むことができる。図３７Ａ〜図３７Ｃは、部分的に折り畳まれたかさに似た様式で延在するスパイン３７０１を有するアンカー３７００の別の実施の形態を示す。図３８Ａ〜図３８Ｅは、ほぼ四葉のクローバーの形状に形成されたワイヤでできた別の一例のアンカー３８００を示す。
【０１４７】
図３９および図４０は、前述の嵩高構成要素の代替例を示す。すなわち、図３９は、損傷から組織を保護するために嵩高部を提供するようにデザインされたワッシャー３９０１を含むインサート３９００を示す。図４０は、同様に損傷から組織を保護するために使用することができる引き締め可能なバッグ４００１を含むインサート４０００を示す。
【０１４８】
図４１Ａおよび４１Ｂは、ワイヤ結合部４１０１が軸方向に拘束されているが、別様に回転することが可能な代替のアンカー４１００を示す。すなわち、カラー４１０１をワイヤ４１０３のうちの１つに圧着することができ、第２のワイヤ４１０４をそこで自由に回転させることができる。このデザインは、デリバリー中のアンカーのワイヤの絡まりまたはねじれを有利に抑制することができる。
【０１４９】
図４２は、回転要素４２０１で、デバイスの残りの部分に対して自由に回転することができ、同時に絡まりに役立つアンカー４２０１を示す。同様に、図４３は、引っ張りループ４３７７が中央で分割され、さらなる運動の自由を可能にし、絡まりを軽減することができるアンカー４３００を示す。
【０１５０】
図４４は、球状の毛糸玉に類似するように形成されたアンカー４４００を示し、図４５は、バルーンで形成されたアンカー４５００を示しており、これらは両方とも、有利には組織損傷を軽減することができる。
【０１５１】
これらのアンカーのデザインのいずれも、インサート２０、１２０に関連して上述したアンカー１００とともに、またはそれに加えて使用することができる。
【０１５２】
別段の定義がない限り、本明細書で使用されている全ての技術的用語は、消化器インターベンション技術の当業者によって通常理解されるものと同一の意味を持つ。本願には特定の方法、デバイス、および材料が記載されているが、本明細書に記載されているものと類似または等価の任意の方法および材料が本発明の実行に使用されてもよい。本発明の実施の形態が例示的な図面を用いて詳細に説明されているが、このような図面は理解を明確にするためのものであって、限定を目的としていない。さらに、本発明は、例示の目的で説明された実施の形態に限定されず、本願に添付されたクレームを公正に読み取ることによってのみ定義され、その構成要素それぞれに与えられた幅広い同等物を含んでいる。
【図１】
2017522094.tif 000003
【図２Ａ】
2017522094.tif 000004
【図２Ｂ】
2017522094.tif 000005
【図３】
2017522094.tif 000006
【図３Ａ】
2017522094.tif 000007
【図３Ｂ】
2017522094.tif 000008
【図４Ａ】
2017522094.tif 000009
【図４Ｂ】
2017522094.tif 000010
【図４Ｃ】
2017522094.tif 000011
【図４Ｄ】
2017522094.tif 000012
【図４Ｅ】
2017522094.tif 000013
【図５Ａ】
2017522094.tif 000014
【図５Ｂ】
2017522094.tif 000015
【図６Ａ】
2017522094.tif 000016
【図６Ｂ】
2017522094.tif 000017
【図７】
2017522094.tif 000018
【図７Ａ】
2017522094.tif 000019
【図７Ｂ】
2017522094.tif 000020
【図８Ａ】
2017522094.tif 000021
【図８Ｂ】
2017522094.tif 000022
【図９】
2017522094.tif 000023
【図１０Ａ−１０Ｂ】
2017522094.tif 000024
【図１０Ｃ】
2017522094.tif 000025
【図１１】
2017522094.tif 000026
【図１２】
2017522094.tif 000027
【図１３Ａ】
2017522094.tif 000028
【図１３Ｂ】
2017522094.tif 000029
【図１３Ｃ】
2017522094.tif 000030
【図１３Ｄ】
2017522094.tif 000031
【図１４Ａ】
2017522094.tif 000032
【図１４Ｂ】
2017522094.tif 000033
【図１４Ｃ】
2017522094.tif 000034
【図１４Ｄ】
2017522094.tif 000035
【図１４Ｅ】
2017522094.tif 000036
【図１４Ｆ】
2017522094.tif 000037
【図１５Ａ】
2017522094.tif 000038
【図１５Ｂ】
2017522094.tif 000039
【図１５Ｃ】
2017522094.tif 000040
【図１５Ｄ】
2017522094.tif 000041
【図１５Ｅ】
2017522094.tif 000042
【図１６Ａ】
2017522094.tif 000043
【図１６Ｂ】
2017522094.tif 000044
【図１７】
2017522094.tif 000045
【図１８Ａ】
2017522094.tif 000046
【図１８Ｂ】
2017522094.tif 000047
【図１８Ｃ】
2017522094.tif 000048
【図１８Ｄ】
2017522094.tif 000049
【図１９】
2017522094.tif 000050
【図２０Ａ】
2017522094.tif 000051
【図２０Ｂ】
2017522094.tif 000052
【図２０Ｃ】
2017522094.tif 000053
【図２１】
2017522094.tif 000054
【図２２】
2017522094.tif 000055
【図２３Ａ】
2017522094.tif 000056
【図２３Ｂ】
2017522094.tif 000057
【図２３Ｃ】
2017522094.tif 000058
【図２３Ｄ】
2017522094.tif 000059
【図２４】
2017522094.tif 000060
【図２５Ａ】
2017522094.tif 000061
【図２５Ｂ】
2017522094.tif 000062
【図２５Ｃ】
2017522094.tif 000063
【図２５Ｄ】
2017522094.tif 000064
【図２６】
2017522094.tif 000065
【図２７Ａ】
2017522094.tif 000066
【図２７Ｂ】
2017522094.tif 000067
【図２７Ｃ】
2017522094.tif 000068
【図２７Ｄ】
2017522094.tif 000069
【図２８Ａ】
2017522094.tif 000070
【図２８Ｂ】
2017522094.tif 000071
【図２８Ｃ】
2017522094.tif 000072
【図２８Ｄ】
2017522094.tif 000073
【図２８Ｅ】
2017522094.tif 000074
【図２８Ｆ】
2017522094.tif 000075
【図２９】
2017522094.tif 000076
【図３０Ａ】
2017522094.tif 000077
【図３０Ｂ】
2017522094.tif 000078
【図３０Ｃ】
2017522094.tif 000079
【図３０Ｄ】
2017522094.tif 000080
【図３０Ｅ】
2017522094.tif 000081
【図３１Ａ】
2017522094.tif 000082
【図３１Ｂ】
2017522094.tif 000083
【図３１Ｃ】
2017522094.tif 000084
【図３１Ｄ】
2017522094.tif 000085
【図３１Ｅ】
2017522094.tif 000086
【図３２Ａ】
2017522094.tif 000087
【図３２Ｂ】
2017522094.tif 000088
【図３２Ｃ】
2017522094.tif 000089
【図３３】
2017522094.tif 000090
【図３４】
2017522094.tif 000091
【図３５】
2017522094.tif 000092
【図３６Ａ】
2017522094.tif 000093
【図３６Ｂ】
2017522094.tif 000094
【図３６Ｃ】
2017522094.tif 000095
【図３７Ａ】
2017522094.tif 000096
【図３７Ｂ】
2017522094.tif 000097
【図３７Ｃ】
2017522094.tif 000098
【図３８Ａ】
2017522094.tif 000099
【図３８Ｂ】
2017522094.tif 000100
【図３８Ｃ】
2017522094.tif 000101
【図３８Ｄ】
2017522094.tif 000102
【図３８Ｅ】
2017522094.tif 000103
【図３９】
2017522094.tif 000104
【図４０】
2017522094.tif 000105
【図４１Ａ】
2017522094.tif 000106
【図４１Ｂ】
2017522094.tif 000107
【図４２】
2017522094.tif 000108
【図４３】
2017522094.tif 000109
【図４４】
2017522094.tif 000110
【図４５】
2017522094.tif 000111
【図４６】
2017522094.tif 000112
【図４６Ａ】
2017522094.tif 000113
【図４７】
2017522094.tif 000114
【図４８Ａ】
2017522094.tif 000115
【図４８Ｂ】
2017522094.tif 000116
【図４９】
2017522094.tif 000117
【図５０】
2017522094.tif 000118
【図５１】
2017522094.tif 000119
【図５１Ａ】
2017522094.tif 000120
【図５１Ｂ】
2017522094.tif 000121
【図５１Ｃ】
2017522094.tif 000122
【図５１Ｄ】
2017522094.tif 000123
【図５２Ａ】
2017522094.tif 000124
【図５２Ｂ】
2017522094.tif 000125
【図５２Ｃ】
2017522094.tif 000126
【図５２Ｄ】
2017522094.tif 000127
【図５２Ｅ】
2017522094.tif 000128
【図５２Ｆ】
2017522094.tif 000129
【図５３Ａ】
2017522094.tif 000130
【図５３Ｂ】
2017522094.tif 000131
【図５３Ｃ】
2017522094.tif 000132
【図５３Ｄ】
2017522094.tif 000133
【図５３Ｅ】
2017522094.tif 000134
【図５４】
2017522094.tif 000135
【図５５】
2017522094.tif 000136
【国際調査報告】
2017522094.tif 000137
2017522094.tif 000138
2017522094.tif 000139